(57)【要約】  本発明の実施形態は、二次セル起動方法、無線アクセスネットワーク装置、端末装置、および通信システムを提供し、通信分野に関する。本方法は、アクセスネットワーク装置により、起動コマンドを端末装置に送信するステップであって、起動コマンドが二次セルの起動を示すために使用される、ステップと、アクセスネットワーク装置により、第1参照信号の第1構成情報を端末装置に送信するステップと、アクセスネットワーク装置により、第1構成情報にしたがって端末装置に第1参照信号を送信するステップであって、第1参照信号が、二次セルのチャネル測定結果を取得するために使用される、ステップとを含む。本発明の実施形態で提供される二次セル起動方法によれば、柔軟で効率的な二次セル起動メカニズムを提供できるため、二次セル起動効率を向上させる。
2020529800.tif 000002
【特許請求の範囲】
【請求項１】
アクセスネットワーク装置により、起動コマンドを端末装置に送信するステップであって、前記起動コマンドが二次セルの起動を示すために使用される、ステップと、
前記アクセスネットワーク装置により、第1参照信号の第1構成情報を前記端末装置に送信するステップと、
前記アクセスネットワーク装置により、前記第1構成情報にしたがって前記端末装置に前記第1参照信号を送信するステップであって、前記第1参照信号が、前記二次セルのチャネル測定結果を取得するために使用される、ステップとを含む二次セル起動方法。
【請求項２】
前記第1参照信号は、時間ドメインで、前記端末装置の利用可能な第2参照信号の前に配置され、前記第2参照信号は第2構成情報を使用して構成され、または
前記第1参照信号は、時間ドメインで、前記端末装置の2つの隣接する第2参照信号の間に配置され、前記2つの隣接する第2参照信号は、同じ第2構成情報を使用して構成される、請求項1に記載の方法。
【請求項３】
前記第2参照信号は周期的である、請求項2に記載の方法。
【請求項４】
前記第1参照信号は、同期信号またはチャネル状態情報参照信号である、請求項1から3のいずれか一項に記載の方法。
【請求項５】
前記端末装置が前記二次セルと同期していないと前記アクセスネットワーク装置が判断すると、前記参照信号は同期信号であり、または
前記端末装置が前記二次セルと同期していると前記アクセスネットワーク装置が判断すると、前記参照信号はチャネル状態情報参照信号であることをさらに含む請求項1に記載の方法。
【請求項６】
前記起動コマンドが、前記第1構成情報を含み、または
前記アクセスネットワーク装置が、前記起動コマンドの前に前記第1構成情報を送信し、または
前記起動コマンドが、前記第1構成情報の第1部分を含み、かつ前記アクセスネットワーク装置が、前記起動コマンドの前に前記第1構成情報の第2部分を送信する、請求項1から5のいずれか一項に記載の方法。
【請求項７】
前記第1構成情報は、以下の情報、すなわち
参照信号送信指示、
参照信号送信時刻、
参照信号周期、
参照信号時間ドメインリソースロケーション、
参照信号周波数ドメインリソースロケーション、および
参照信号構成インデックス
のうち、少なくとも1つを含み、
前記参照信号構成インデックスは、参照信号構成情報のロケーションを示すために使用される、請求項1から6のいずれか一項に記載の方法。
【請求項８】
前記第1参照信号の前記参照信号送信時刻は、前記アクセスネットワーク装置が前記第1参照信号を送信する時刻と前記アクセスネットワーク装置が前記起動コマンドを送信する時刻との間の相対的時間差であるか、または前記アクセスネットワーク装置が前記第1参照信号を送信する時刻である、請求項7に記載の方法。
【請求項９】
前記アクセスネットワーク装置により、前記構成情報にしたがって前記端末装置に前記第1参照信号を送信する前記ステップの前に、前記方法は、
前記端末装置の前記利用可能な第2参照信号と現在時刻との差が第1閾値を超えている場合、前記アクセスネットワーク装置により、前記第1参照信号を前記端末装置に送信すると判断するステップであって、前記第1閾値が事前設定されている、ステップをさらに含む請求項1から7のいずれか一項に記載の方法。
【請求項１０】
前記方法は、前記アクセスネットワーク装置により、前記端末装置から前記チャネル測定結果を受信するステップをさらに含む請求項1から9のいずれか一項に記載の方法。
【請求項１１】
端末装置により、起動コマンドをアクセスネットワーク装置から受信するステップであって、前記起動コマンドが二次セルの起動を示すために使用される、ステップと、
前記端末装置により、第1参照信号の第1構成情報を前記アクセスネットワーク装置から受信するステップと、
前記端末装置により、前記第1構成情報にしたがって前記第1参照信号を受信し、前記第1参照信号にしたがって、前記二次セルのチャネル測定結果を取得するステップとを含む二次セル起動方法。
【請求項１２】
前記第1参照信号は、時間ドメインで、前記端末装置の利用可能な第2参照信号の前に配置され、前記第2参照信号は第2構成情報を使用して構成され、または
前記第1参照信号は、時間ドメインで、前記端末装置の2つの隣接する第2参照信号の間に配置され、前記2つの隣接する第2参照信号は、同じ第2構成情報を使用して構成される、請求項11に記載の方法。
【請求項１３】
前記第2参照信号は周期的である、請求項12に記載の方法。
【請求項１４】
前記第1参照信号は、同期信号またはチャネル状態情報参照信号である、請求項11から13のいずれか一項に記載の方法。
【請求項１５】
前記起動コマンドが、前記第1構成情報を含み、または
前記端末装置が、前記起動コマンドの前に前記第1構成情報を受信し、または
前記起動コマンドが、前記第1構成情報の第1部分を含み、かつ前記端末装置が、前記起動コマンドの前に前記第1構成情報の第2部分を受信する、請求項11から14のいずれか一項に記載の方法。
【請求項１６】
前記第1構成情報は、以下の情報、すなわち
参照信号送信指示、
参照信号送信時刻、
参照信号周期、
参照信号時間ドメインリソースロケーション、
参照信号周波数ドメインリソースロケーション、および
参照信号構成インデックス
のうち、少なくとも1つを含み、
前記参照信号構成インデックスは、参照信号構成情報のロケーションを示すために使用される、請求項11から15のいずれか一項に記載の方法。
【請求項１７】
前記第1参照信号の前記参照信号送信時刻は、前記アクセスネットワーク装置が前記第1参照信号を送信する時刻と前記アクセスネットワーク装置が前記起動コマンドを送信する時刻との間の時間差であるか、または前記アクセスネットワーク装置が前記第1参照信号を送信する時刻である、請求項16に記載の方法。
【請求項１８】
前記端末装置は、前記チャネル測定結果を前記アクセスネットワーク装置に送信する、請求項11から17のいずれか一項に記載の方法。
【請求項１９】
伝送器とプロセッサとを含むアクセスネットワーク装置であって、前記プロセッサが、第1参照信号の第1構成情報を決定するように構成され、
前記伝送器は、端末装置に起動コマンドを送信するように構成され、前記起動コマンドは、二次セルの起動を示すために使用され、
前記伝送器は、前記プロセッサによって決定された前記第1参照信号の前記第1構成情報を前記端末装置に送信するようにさらに構成され、
前記伝送器は、前記第1構成情報にしたがって前記第1参照信号を前記端末装置に送信するようにさらに構成され、前記第1参照信号は、前記二次セルのチャネル測定結果を取得するために使用される、アクセスネットワーク装置。
【請求項２０】
前記第1参照信号は、時間ドメインで、前記端末装置の利用可能な第2参照信号の前に配置され、前記第2参照信号は第2構成情報を使用して構成され、または
前記第1参照信号は、時間ドメインで、前記端末装置の2つの隣接する第2参照信号の間に配置され、前記2つの隣接する第2参照信号は、同じ第2構成情報を使用して構成される、請求項19に記載のアクセスネットワーク装置。
【請求項２１】
前記第2参照信号は周期的である、請求項20に記載のアクセスネットワーク装置。
【請求項２２】
前記第1参照信号は、同期信号またはチャネル状態情報参照信号である、請求項19から21のいずれか一項に記載のアクセスネットワーク装置。
【請求項２３】
前記端末装置が前記二次セルと同期していないと前記プロセッサが判断すると、前記参照信号は同期信号であり、または
前記端末装置が前記二次セルと同期していると前記プロセッサが判断すると、前記参照信号はチャネル状態情報参照信号である、請求項19に記載のアクセスネットワーク装置。
【請求項２４】
前記起動コマンドが、前記第1構成情報を含み、または
前記伝送器が、前記起動コマンドの前に前記第1構成情報を送信し、または
前記起動コマンドが、前記第1構成情報の第1部分を含み、かつ前記伝送器が、前記起動コマンドの前に前記第1構成情報の第2部分を送信する、請求項19から23のいずれか一項に記載のアクセスネットワーク装置。
【請求項２５】
前記第1構成情報は、以下の情報、すなわち
参照信号送信指示、
参照信号送信時刻、
参照信号周期、
参照信号時間ドメインリソースロケーション、
参照信号周波数ドメインリソースロケーション、および
参照信号構成インデックス
のうち、少なくとも1つを含み、
前記参照信号構成インデックスは、参照信号構成情報のロケーションを示すために使用される、請求項19から24のいずれか一項に記載のアクセスネットワーク装置。
【請求項２６】
前記第1参照信号の前記参照信号送信時刻は、前記伝送器が前記第1参照信号を送信する時刻と前記伝送器が前記起動コマンドを送信する時刻との間の相対的時間差であるか、または前記伝送器が前記第1参照信号を送信する時刻である、請求項25に記載のアクセスネットワーク装置。
【請求項２７】
前記伝送器が、前記第1構成情報にしたがって前記端末装置に前記第1参照信号を送信する前に、
前記端末装置の前記利用可能な第2参照信号と現在時刻との差が第1閾値を超えると前記プロセッサが判断すると、前記プロセッサが、前記第1参照信号が前記端末装置に送信されると判断し、前記第1閾値が事前設定されている、請求項19から26のいずれか一項に記載のアクセスネットワーク装置。
【請求項２８】
前記アクセスネットワーク装置は、受信器をさらに備え、前記受信器は、前記端末装置から前記チャネル測定結果を受信するように構成される、請求項19から27のいずれか一項に記載のアクセスネットワーク装置。
【請求項２９】
通信装置であって、前記通信装置は、受信器とプロセッサとを備え、
前記受信器は、アクセスネットワーク装置から起動コマンドを受信するように構成され、前記起動コマンドは、二次セルの起動を示すために使用され、
前記受信器は、前記アクセスネットワーク装置から第1参照信号の第1構成情報を受信するようにさらに構成され、
前記受信器は、前記第1構成情報にしたがって前記第1参照信号を受信するようにさらに構成され、
前記プロセッサは、前記第1参照信号にしたがって前記二次セルのチャネル測定結果を取得するように構成される、通信装置。
【請求項３０】
前記第1参照信号は、時間ドメインで、前記通信装置の利用可能な第2参照信号の前に配置され、前記第2参照信号は第2構成情報を使用して構成され、または
前記第1参照信号は、時間ドメインで、前記通信装置の2つの隣接する第2参照信号の間に配置され、前記2つの隣接する第2参照信号は、同じ第2構成情報を使用して構成される、請求項29に記載の通信装置。
【請求項３１】
前記第2参照信号は周期的である、請求項30に記載の通信装置。
【請求項３２】
前記第1参照信号は、同期信号またはチャネル状態情報参照信号である、請求項29から31のいずれか一項に記載の通信装置。
【請求項３３】
前記起動コマンドが、前記第1構成情報を含み、または
前記受信器が、前記起動コマンドの前に前記第1構成情報を受信し、または
前記起動コマンドが、前記第1構成情報の第1部分を含み、かつ前記受信器が、前記起動コマンドの前に前記第1構成情報の第2部分を受信する、請求項29から32のいずれか一項に記載の通信装置。
【請求項３４】
前記第1構成情報は、以下の情報、すなわち
参照信号送信指示、
参照信号送信時刻、
参照信号周期、
参照信号時間ドメインリソースロケーション、
参照信号周波数ドメインリソースロケーション、および
参照信号構成インデックス
のうち、少なくとも1つを含み、
前記参照信号構成インデックスは、参照信号構成情報のロケーションを示すために使用される、請求項29から33のいずれか一項に記載の通信装置。
【請求項３５】
前記第1参照信号の前記送信時刻は、前記アクセスネットワーク装置が前記第1参照信号を送信する時刻と前記アクセスネットワーク装置が前記起動コマンドを送信する時刻との間の時間差であるか、または前記アクセスネットワーク装置が前記第1参照信号を送信する時刻である、請求項34に記載の通信装置。
【請求項３６】
前記通信装置は、伝送器をさらに備え、前記伝送器は、前記チャネル測定結果を前記アクセスネットワーク装置に送信するように構成される、請求項29から35のいずれか一項に記載の通信装置。
【請求項３７】
通信装置であって、前記通信装置は、プロセッサとメモリとを備え、前記メモリはコンピュータプログラムを記憶し、前記プロセッサが前記コンピュータプログラムを実行すると、請求項1から10のいずれか一項に記載の方法が実装される、通信装置。
【請求項３８】
通信装置であって、前記通信装置は、プロセッサとメモリとを備え、前記メモリはコンピュータプログラムを記憶し、前記プロセッサが前記コンピュータプログラムを実行すると、請求項11から18のいずれか一項に記載の方法が実行される、通信装置。
【請求項３９】
コンピュータ記憶媒体であって、前記コンピュータ記憶媒体は、コンピュータプログラムを記憶し、前記コンピュータプログラムがプロセッサによって実行されると、請求項1から10のいずれか一項に記載の方法が実行される、コンピュータ記憶媒体。
【請求項４０】
コンピュータ記憶媒体であって、前記コンピュータ記憶媒体は、コンピュータプログラムを記憶し、前記コンピュータプログラムがプロセッサによって実行されると、請求項11から18のいずれか一項に記載の方法が実装される、コンピュータ記憶媒体。
【発明の詳細な説明】
【技術分野】
【０００１】
本出願は、2017年8月11日に中国特許庁に出願され、“SECONDARY CELL ACTIVATION METHOD，ACCESS NETWORK DEVICE，AND COMMUNICATIONS APPARATUS AND SYSTEM”という名称の中国特許出願番号第201710687908．8号明細書による優先権を主張し、その全体は、参照によりここに援用される。
【０００２】
本発明は、通信分野に関し、特に、二次セル起動方法、アクセスネットワーク装置、および通信装置、ならびにシステムに関する。
【背景技術】
【０００３】
現在、無線通信ネットワークのネットワーク展開では、キャリアアグリゲーション（Carrier Aggregation、略してCA）技術が使用されている。1つのアクセスネットワーク装置が、複数の異なるセルを有してもよく、端末装置が、アクセスネットワーク装置の複数の異なるセルに同時に接続されてもよい。CAは、通信プロセスにおいて、1つのキャリアだけでなく、1つの一次キャリアといくつかの二次キャリアに、通信が同時に実行されることを意味する。キャリアアグリゲーション機能を備えた端末装置によって集約されるセルは、1つの一次セルといくつかの二次セルとを含む。二次セルを使用するプロセスでは、要求にしたがって二次セルを起動したり、停止させたりすることができる。例えば、ある時間内にアクセスネットワーク装置と端末装置との間でデータが伝送されない場合、アクセスネットワーク装置は二次セルを停止させてもよい。停止させられ二次セルは、アクセスネットワーク装置と端末装置との間のデータ伝送には使用されない。その後、データを伝送する必要がある場合、または比較的大量のデータを伝送する必要がある場合、アクセスネットワーク装置は要求にしたがって二次セルを起動する。起動された二次セルは、アクセスネットワーク装置と端末装置との間のデータ伝送に再び使用される。一般に、1つのセルは1つのキャリアセットに対応することができ、キャリアセットは少なくとも1つのキャリアを含む。
【０００４】
従来技術では、端末装置が二次セルを起動する必要がある場合、二次セルを起動するために、端末装置は二次セルのチャネル状態情報（channel status information、略してCSI）をアクセスネットワーク装置に送信する必要がある。端末装置は通常、一次セルの物理アップリンク制御チャネル（physical uplink control channel、略してPUCCH）を介して、すべてのセルのチャネル状態情報（channel status information、略してCSI）をアクセスネットワーク装置に報告する。具体的には、端末装置が、アクセスネットワーク装置によって送信された二次セル起動コマンドをサブフレームNで受信すると、事前設定された時刻（例えば、サブフレームN＋8）に起動された二次セルのCSIをCSI報告に追加し、CSIをアクセスネットワーク装置に送信する。端末装置は、事前設定された時刻にCSIが追加されたCSI報告から、有効なCSI測定値を取得できない場合がある。この場合、端末装置が有効な測定値を取得していないことをアクセスネットワーク装置に通知するために、特別な測定値をCSIに入力する必要がある。端末装置は、有効なCSI測定値の取得を開始するまでは、通常のCSI測定値の入力を開始しない。
【０００５】
具体的には、ロングタームエボリューション（Long Term Evolution、略してLTE）システムでは、1つのセルが1つのキャリアに対応し、セルの起動はキャリアの起動である。アクセスネットワーク装置の起動コマンドに応答して、端末装置は、セル共通参照信号（Common Reference signal、略してCRS）を測定してCSIを取得し、CSIをアクセスネットワーク装置に報告する。測定は、無線リソース管理（Radio Resource Management、略してRRM）測定であってもよい。しかしながら、従来技術では、CRSの構成情報はプロトコルで指定されており、送信周期およびロケーションは相対的に固定されている。さらに、端末装置が、起動されるセルと同期している場合にのみ、端末装置はCRSを受信および測定できる。そのため、既存のCRSベースの起動方法は十分な柔軟性がなく、起動効率が比較的低い。さらに、この起動方法はCRSと互換性のあるシステムにのみ適用でき、共通して使用されない。
【発明の概要】
【課題を解決するための手段】
【０００６】
本発明は、二次セル起動方法、アクセスネットワーク装置、および通信装置、ならびにシステムを提供するため、柔軟で効率的な二次セル起動メカニズムを提供できる。
【０００７】
前述の目的を達成するために、以下の技術的解決策が本発明の実施形態で使用される。
【０００８】
第1態様によれば、アクセスネットワーク装置により、起動コマンドを端末装置に送信するステップであって、起動コマンドが二次セルの起動を示すために使用される、ステップと、
アクセスネットワーク装置により、第1参照信号の第1構成情報を端末装置に送信するステップと、
アクセスネットワーク装置により、第1構成情報にしたがって端末装置に第1参照信号を送信するステップであって、第1参照信号が、二次セルのチャネル測定結果を取得するために使用される、ステップとを含む二次セル起動方法が提供される。
【０００９】
この方法によれば、アクセスネットワーク装置は、第1参照信号と、第1参照信号の第1構成情報とを端末装置に送信することができるため、端末装置が第1構成情報にしたがって第1参照信号に対してチャネル測定を実行する。この解決策は、従来技術における、固定的に構成されたCRSのみに基づいて二次セルを測定および起動できるという従来の事例を回避するため、二次セルの起動の柔軟性を向上させ、二次セルの起動効率を向上させる。
【００１０】
オプションの設計では、第1参照信号は時間ドメインで端末装置の利用可能な第2参照信号の前に配置され、かつ第2参照信号は第2構成情報を使用して構成され、あるいは、第1参照信号は、時間ドメインで端末装置の2つの隣接する第2参照信号の間に配置され、かつ2つの隣接する第2参照信号は、同じ第2構成情報を使用して構成される。この方法によれば、第2構成情報を使用して構成された第2参照信号が既に存在する場合、第1構成情報を使用して構成された第1参照信号を一時的に送信できるため、端末装置は、第2構成情報を使用して構成された第2参照信号の現在の送信に影響を与えることなく、起動コマンドに迅速に応答して二次セルを測定することができる。
【００１１】
オプションの設計では、第2参照信号は周期的である。
【００１２】
オプションの設計では、第1参照信号は同期信号SSまたはチャネル状態情報参照信号CSI−RSである。
【００１３】
オプションの設計では、端末装置が二次セルと同期していないとアクセスネットワーク装置が判断すると、参照信号は同期信号である。同期信号は、二次セルが起動されたときにチャネル測定を実行するように構成されているため、端末装置は、端末装置が非同期状態であっても、チャネル測定をタイミング良く迅速に実行し、チャネル測定結果を取得できる。あるいは、端末装置が二次セルと同期しているとアクセスネットワーク装置が判断すると、参照信号はチャネル状態情報参照信号である。チャネル状態情報参照信号は、リソース上で比較的まばらな分布であり、比較的少量のリソースを占有する。したがって、チャネル状態情報参照信号は、二次セルが起動されたときにチャネル測定を実行するように構成されているため、アクセスネットワーク装置は、第1参照信号を送信するために使用する、利用可能なリソースをより簡単に取得でき、端末装置はチャネル測定を迅速に実行し、チャネル測定結果を取得することができる。
【００１４】
オプションの設計では、起動コマンドが、第1構成情報を含み、または
アクセスネットワーク装置が、起動コマンドの前に第1構成情報を送信し、または
起動コマンドが、第1構成情報の第1部分を含み、かつアクセスネットワーク装置が、起動コマンドの前に第1構成情報の第2部分を送信する。
【００１５】
オプションの設計では、第1構成情報は、以下の情報、すなわち
参照信号送信指示、
参照信号送信時刻、
参照信号周期、
参照信号時間ドメインリソースロケーション、
参照信号周波数ドメインリソースロケーション、および
参照信号構成インデックス
のうち、少なくとも1つを含み、
参照信号構成インデックスは、参照信号構成情報のロケーションを示すために使用される。
【００１６】
オプションの設計では、第1参照信号の参照信号送信時刻は、アクセスネットワーク装置が第1参照信号を送信する時刻とアクセスネットワーク装置が起動コマンドを送信する時刻との間の相対的時間差であるか、またはアクセスネットワーク装置が第1参照信号を送信する時刻である。
【００１７】
オプションの設計では、アクセスネットワーク装置により、第1構成情報にしたがって端末装置に第1参照信号を送信するステップの前に、方法は、端末装置の利用可能な第2参照信号と現在時刻との差が第1閾値を超えている場合、アクセスネットワーク装置により、第1参照信号を端末装置に送信すると判断するステップをさらに含む。この方法は、チャネル測定に使用できる第2参照信号が起動コマンドの送信後短時間で端末装置に送信される場合に、第1参照信号を送信することに起因するシグナリングの無駄を回避できる。
【００１８】
第1閾値は事前設定されている。
【００１９】
オプションの設計では、アクセスネットワーク装置は、端末装置からチャネル測定結果を受信する。
【００２０】
第1態様はさらに、端末装置により、起動コマンドをアクセスネットワーク装置から受信するステップであって、起動コマンドが二次セルの起動を示すために使用される、ステップと、
端末装置により、第1参照信号の第1構成情報をアクセスネットワーク装置から受信するステップと、
端末装置により、第1構成情報にしたがって第1参照信号を受信し、第1参照信号にしたがって、二次セルのチャネル測定結果を取得するステップとを含む二次セル起動方法を提供する。
【００２１】
この方法によれば、端末装置は、第1参照信号と、第1参照信号の第1構成情報とをアクセスネットワーク装置から受信することができるため、端末装置が第1構成情報にしたがって第1参照信号に対してチャネル測定を実行する。この解決策は、従来技術における、固定的に構成されたCRSのみに基づいて二次セルが測定され、起動され得るという従来の事例を回避するため、二次セルの起動の柔軟性を向上させ、二次セルの起動効率を向上させる。
【００２２】
オプションの設計では、第1参照信号は時間ドメインで端末装置の利用可能な第2参照信号の前に配置され、かつ第2参照信号は第2構成情報を使用して構成され、あるいは、第1参照信号は、時間ドメインで端末装置の2つの隣接する第2参照信号の間に配置され、かつ2つの隣接する第2参照信号は、同じ第2構成情報を使用して構成される。
【００２３】
オプションの設計では、第2参照信号は周期的である。
【００２４】
オプションの設計では、第1参照信号は同期信号またはチャネル状態情報参照信号である。
【００２５】
オプションの設計では、起動コマンドが、第1構成情報を含み、または端末装置が、起動コマンドの前に第1構成情報を受信し、または起動コマンドが、第1構成情報の第1部分を含み、かつ端末装置が、起動コマンドの前に第1構成情報の第2部分を受信する。
【００２６】
オプションの設計では、第1構成情報は、以下の情報、すなわち
参照信号送信指示、
参照信号送信時刻、
参照信号周期、
参照信号時間ドメインリソースロケーション、
参照信号周波数ドメインリソースロケーション、および
参照信号構成インデックス
のうち、少なくとも1つを含み、
参照信号構成インデックスは、参照信号構成情報のロケーションを示すために使用される。
【００２７】
オプションの設計では、第1参照信号の送信時刻は、アクセスネットワーク装置が第1参照信号を送信する時刻とアクセスネットワーク装置が起動コマンドを送信する時刻との間の時間差であるか、またはアクセスネットワーク装置が第1参照信号を送信する時刻である。
【００２８】
オプションの設計では、端末装置は、アクセスネットワーク装置にチャネル測定結果を送信する。
【００２９】
第2態様によれば、伝送器とプロセッサとを含むアクセスネットワーク装置であって、プロセッサが、第1参照信号の第1構成情報を決定するように構成され、
伝送器は、端末装置に起動コマンドを送信するように構成され、起動コマンドは、二次セルの起動を示すために使用され、
伝送器は、プロセッサによって決定された第1参照信号の第1構成情報を端末装置に送信するようにさらに構成され、
伝送器は、第1構成情報にしたがって第1参照信号を端末装置に送信するようにさらに構成され、第1参照信号は、二次セルのチャネル測定結果を取得するために使用される、アクセスネットワーク装置が提供される。
【００３０】
オプションの設計では、第1参照信号は時間ドメインで端末装置の利用可能な第2参照信号の前に配置され、かつ第2参照信号は第2構成情報を使用して構成され、あるいは、第1参照信号は、時間ドメインで端末装置の2つの隣接する第2参照信号の間に配置され、かつ2つの隣接する第2参照信号は、同じ第2構成情報を使用して構成される。
【００３１】
オプションの設計では、端末装置が二次セルと同期していないとプロセッサが判断すると、参照信号は同期信号であり、端末装置が二次セルと同期しているとプロセッサが判断すると、参照信号はチャネル状態情報参照信号である。
【００３２】
オプションの設計では、起動コマンドが、第1構成情報を含み、または伝送器が、起動コマンドの前に第1構成情報を送信し、または起動コマンドが、第1構成情報の第1部分を含み、かつ伝送器が、起動コマンドの前に第1構成情報の第2部分を送信する。
【００３３】
オプションの設計では、伝送器が、第1構成情報にしたがって端末装置に第1参照信号を送信する前に、
端末装置の利用可能な第2参照信号と現在時刻との差が第1閾値を超えるとプロセッサが判断すると、プロセッサが、第1参照信号が端末装置に送信されると判断し、第1閾値は事前設定されている。
【００３４】
オプションの設計では、アクセスネットワーク装置は、受信器をさらに含み、受信器は、端末装置からチャネル測定結果を受信するように構成される。
【００３５】
第2態様は、通信装置であって、通信装置は、受信器とプロセッサとを備え、
受信器は、アクセスネットワーク装置から起動コマンドを受信するように構成され、起動コマンドは、二次セルの起動を示すために使用され、
受信器は、アクセスネットワーク装置から第1参照信号の第1構成情報を受信するようにさらに構成され、
受信器は、第1構成情報にしたがって第1参照信号を受信するようにさらに構成され、
プロセッサは、第1参照信号にしたがって二次セルのチャネル測定結果を取得するように構成される、通信装置をさらに含む。
【００３６】
オプションの設計では、第1参照信号は、時間ドメインで、通信装置の利用可能な第2参照信号の前に配置され、第2参照信号は第2構成情報を使用して構成され、または
第1参照信号は、時間ドメインで、通信装置の2つの隣接する第2参照信号の間に配置され、2つの隣接する第2参照信号は、同じ第2構成情報を使用して構成される。
【００３７】
オプションの設計では、起動コマンドが、第1構成情報を含み、または受信器が、起動コマンドの前に第1構成情報を受信し、または起動コマンドが、第1構成情報の第1部分を含み、かつ受信器が、起動コマンドの前に第1構成情報の第2部分を受信する。
【００３８】
オプションの設計では、通信装置は、伝送器をさらに含み、伝送器は、チャネル測定結果をアクセスネットワーク装置に送信するように構成される。
【００３９】
第2態様において提供されるアクセスネットワーク装置および通信装置において、オプションの設計は以下のとおりである。
【００４０】
オプションの設計では、第2参照信号は周期的である。
【００４１】
オプションの設計では、第1参照信号は同期信号またはチャネル状態情報参照信号である。
【００４２】
オプションの設計では、第1構成情報は、以下の情報、すなわち
参照信号送信指示、
参照信号送信時刻、
参照信号周期、
参照信号時間ドメインリソースロケーション、
参照信号周波数ドメインリソースロケーション、および
参照信号構成インデックス
のうち、少なくとも1つを含み、
参照信号構成インデックスは、参照信号構成情報のロケーションを示すために使用される。
【００４３】
オプションの設計では、第1参照信号の参照信号送信時刻は、アクセスネットワーク装置（アクセスネットワーク装置の伝送器）が第1参照信号を送信する時刻とアクセスネットワーク装置（アクセスネットワーク装置の伝送器）が起動コマンドを送信する時刻との間の相対的時間差であるか、またはアクセスネットワーク装置（アクセスネットワーク装置の伝送器）が第1参照信号を送信する時刻である。
【００４４】
第3態様によれば、本発明は、第2態様で提供されるアクセスネットワーク装置および通信装置を含むシステムを提供する。
【００４５】
第4態様によれば、本発明は、通信装置であって、通信装置は、プロセッサとメモリとを備え、メモリはコンピュータプログラムを記憶し、プロセッサがコンピュータプログラムを実行すると、前述の態様における方法が実行される、通信装置を提供する。
【００４６】
第5態様によれば、本発明は、コンピュータプログラムを記憶するコンピュータ記憶媒体であって、コンピュータ記憶媒体は、コンピュータプログラムを記憶し、コンピュータプログラムがプロセッサによって実行されると、前述の態様における方法が実行される、コンピュータ記憶媒体を提供する。
【００４７】
第6態様によれば、本発明は、命令を含むコンピュータプログラム製品であって、コンピュータプログラム製品がコンピュータ上で実行されると、コンピュータは前述の態様の方法を実行することが可能になるコンピュータプログラム製品を提供する。
【００４８】
第7態様によれば、本発明は、チップシステムであって、チップシステムは、アクセスネットワーク装置または通信装置が、前述の態様における機能、例えば、前述の方法におけるデータおよび／または情報の生成、または処理を実装することをサポートするように構成されたプロセッサを含む、チップシステムを提供する。可能な設計では、チップシステムはメモリをさらに含み、メモリは、アクセスネットワーク装置または通信装置に必要なプログラム命令およびデータを記憶するように構成される。チップシステムは、チップを含んでもよいし、チップと他の別個のコンポーネントとを含んでもよい。
【００４９】
本発明の実施形態は、二次セル起動方法、アクセスネットワーク装置、通信装置、および通信システムを提供する。本発明の実施形態における解決策によれば、アクセスネットワーク装置は、第1参照信号と、第1参照信号の第1構成情報とを端末装置に送信することができるため、端末装置が第1構成情報にしたがって第1参照信号に対してチャネル測定を実行する。この解決策は、従来技術における、固定的に構成された参照信号のみに基づいて二次セルを測定および起動できるという従来の事例を回避するため、二次セルの起動の柔軟性を向上させ、二次セルの起動効率を向上させる。
【００５０】
本発明の実施形態における技術的解決策をより明確に説明するために、以下では、実施形態を説明するために必要な添付図面について簡単に説明する。以下の説明の添付図面は、本発明のいくつかの実施形態を示すにすぎず、当業者が創造的な努力なしにこれらの添付図面から他の図面を導き出すことができることは明らかである。
【図面の簡単な説明】
【００５１】
【図１】従来のLTEシステムにおける二次セル起動方法のフローチャートである。
【図２】一実施形態による通信システム100の概略構造図である。
【図３】一実施形態による二次セル起動方法のフローチャートである。
【図４】NRシステムにおける複数ビームのシナリオにおける同期信号伝送の概略図である。
【図５】一実施形態による二次セル起動方法における第1参照信号のオプションの構成の概略図である。
【図６】一実施形態によるアクセスネットワーク装置の概略構造図である。
【図７】一実施形態による別のアクセスネットワーク装置の概略構造図である。
【図８】一実施形態による通信装置の概略構造図である。
【図９】一実施形態による別の通信装置の概略構造図である。
【発明を実施するための形態】
【００５２】
本発明の目的、技術的解決策、および利点をより明確にするために、以下では、添付の図面を参照して本発明の実装形態をさらに詳細に説明する。
【００５３】
従来の二次セル起動方法では、端末装置は、アクセスネットワーク装置から受信した起動コマンドに応答して、参照信号を測定し、測定結果をフィードバックする。二次セルが非起動状態にある場合、端末装置は、二次セルにおいて、ダウンリンク制御チャネルをリッスンせず、アップリンクデータおよびチャネル状態情報等を送信しない。二次セルが起動された後、端末装置は対応するリッスンおよび伝送を開始する。
【００５４】
ここで、二次セル起動プロセスでは、アクセスネットワーク装置は、端末装置から現在のダウンリンクチャネル状態に関連する情報を取得する必要があり、この情報は通常、チャネル状態情報（CSI）と呼ばれることに留意されたい。LTEリリース8では、CSIは、チャネル品質情報（Channel Quality Information、略してCQI）、プリコード化マトリクス指示（Precoding Matrix Indication、略してPMI）、およびランク指示（Rank Indication、略してRI）を含む。その後のリリースでは、別の形式のCSI、例えば、明示的なチャネル量子化、受信器処理を含む効果的なチャネル量子化、雑音および干渉のフィードバック、および受信共分散フィードバックがさらに含まれる。本発明の実施形態では、CSIに含まれる具体的内容は限定されない。CSI報告は、CSIの構成情報にしたがって端末によって周期的に報告されてもよく、またはアクセスネットワーク装置の要求に応答して端末装置によってフィードバックされてもよい。端末装置は、要求を受信したロケーションに応じて、測定する必要があるセルを決定するか、またはセルを特定するために使用される情報をアクセスネットワーク装置の要求に追加するため、端末装置が、測定する必要があるセルを決定してもよい。CSI測定報告をフィードバックするために、端末装置はダウンリンク参照信号を測定する必要がある。
【００５５】
図1は、従来のLTEシステムにおける二次セル起動方法を示す。LTEシステムでは、1つのセルが1つのキャリアに対応し、セルの起動における技術的な処理は、キャリアの起動におけるものと同じである。LTEシステムでCSI測定に使用される参照信号は、共通の参照信号CRSである。アクセスネットワーク装置が端末装置のために二次セルを起動する必要がある場合、アクセスネットワーク装置は二次セル起動コマンドを端末装置に送信する。起動コマンドに応答して、端末装置は参照信号にしたがってチャネル測定を実行してCSIをフィードバックする。有効なCSI測定値を取得する前に、CSI測定を実行してCSIを生成するために、端末装置は、まず二次セルの同期信号にしたがって初期同期を取得し、次に二次セルの参照信号にしたがって精密同期を取得する必要がある。端末装置がサブフレームNで第1二次セル起動コマンドを受信すると、アクセスネットワーク装置と端末装置が同じ理解を有するようにするために、端末装置は、サブフレームN＋8の後に、起動される二次セルのCSIの報告を開始する。例えば、端末装置は、CSI報告周期にしたがって、サブフレームN＋4およびサブフレームN＋10でCSIを報告する必要がある。したがって、サブフレームN＋4のCSI報告ではなく、サブフレームN＋10で第1二次セルのCSI報告が搬送される。ただし、停止状態の二次セルの場合、端末装置が有効なCSIを取得できる時刻は、停止された二次セルを端末装置が追跡する状態、例えば端末装置が二次セルと同期しているか否か、または端末装置が特定の時間内に二次セルを測定するか否かによって異なる場合がある。端末装置が、二次セルと同期していない場合、または特定の時間内に二次セルを測定しない場合、端末装置は、サブフレームN＋8の後に初めてサブフレームN＋10でCSIを報告するときに、有効なCSI測定値を取得することができない。この場合、端末装置が有効な測定値を取得していないことをアクセスネットワーク装置に通知するために、特別な測定値をサブフレームN＋10で報告されるCSIに入力する必要がある。端末装置は、同期状態におけるCRSを受信し測定して、有効なCSI測定値を取得するまでは、通常のCSI測定値の入力を開始しない。ただし、端末装置は、サブフレームN＋24よりは後ではないサブフレ
ームで有効なCSIの報告を開始し（例えば、端末装置が最近二次セルを測定した、または端末装置が二次セルと同期している）、またはサブフレームN＋34よりは後ではないサブフレームで有効なCSIの報告を開始する（例えば、端末装置が最近二次セルを測定していない、または端末装置が二次セルと同期していない）。例えば、端末装置が起動コマンドを受信する前のある時間内に端末装置が二次セルを測定した場合、端末装置はサブフレームN＋24の前に有効なCSIを報告する必要がある。端末装置が起動コマンドを受信する前のある時間内に端末装置が二次セルを測定しなかった場合、端末装置はサブフレームN＋34の前に有効なCQIを報告する必要がある。
【００５６】
本発明の以下の実施形態では、アクセスネットワーク装置と端末装置との間で伝送される信号または情報が同時に有効になることを確実にするために、アクセスネットワーク装置と端末装置との間の遅延は無視されることに留意されたい。
【００５７】
本発明の技術は、ロングタームエボリューション（Long Term Evolution、略してLTE）システムまたは様々な無線アクセス技術、例えば、コード分割多重アクセス、周波数分割多重アクセス、時間分割多重アクセス、直交周波数分割多重アクセス、およびシングルキャリア周波数分割多重アクセス等を使用する他の無線通信システムに適用することができる。特に、この技術は、LTEシステムを使用するその後の進化したシステム、および第5世代5Gシステム等の新しい無線（New Radio、略してNR）システムに適用できる。このシステムには、アクセスネットワーク装置および端末装置が含まれている。アクセスネットワーク装置は、少なくとも1つのセルを含み、セルを使用して端末装置にサービスを提供する。キャリアアグリゲーション技術が適用されるシステムでは、すべてが1つの端末装置にサービスを提供する複数のコンポーネントキャリアは、一次コンポーネントキャリアと二次コンポーネントキャリアとを含む。キャリアアグリゲーション機能を備えた端末装置によって集約されるセルは、1つの一次セルといくつかの二次セルとを含む。一次コンポーネントキャリアに対応するセルは一次セルと呼ばれ、二次コンポーネントキャリアに対応するセルは二次セルと呼ばれる。一次セル（Primary Cell、略してPCell）は、無線リソース制御（Radio Resource Control、略してRRC）接続の確立、再確立（re−establishment）、または切り替え中に、非アクセス層（Non−Access Stratum、略してNAS）モビリティ情報（例えばトラッキングエリアアイデンティティ（Tracking Area Identity、略してTAI））を提供する。二次セル（Secondary Cell、略してSCell）は、アクセスネットワーク装置によって起動または停止され、二次セルが起動されると、アクセスネットワーク装置と端末装置との間のデータ伝送を実装する。本明細書では、一次セルおよび二次セルの各々は、異なるシステムで異なるように機能し得ることに留意されたい。技術の発展に伴い、NRシステムでは、一次セルおよび二次セルが、さらなる意味を持つ場合がある。これは、本明細書では特に限定されない。
【００５８】
本発明における端末装置は、無線の送受信機能を有する装置であり、陸上に配備されてもよく、例えば屋内もしくは屋外の装置、ハンドヘルド装置、または車載装置であり、水上（例えば、汽船上）に配備されてもよく、または空中（例えば、飛行機、気球、または衛星）に配備されてもよい。端末装置は、携帯電話（mobile phone）、タブレットコンピュータ（Pad）、無線送受信機能を有するコンピュータ、仮想現実（Virtual Reality、VR）端末装置、拡張現実（Augmented Reality、AR）端末装置、産業用制御（industrial control）における無線端末、自動運転（self driving）の無線端末、遠隔医療（remote medical）における無線端末、スマートグリッド（smart grid）における無線端末、輸送の安全性（transportation safety）における無線端末、スマートシティ（smart city）における無線端末、スマートホーム（smart home）における無線端末等であってもよい。
【００５９】
本発明におけるアクセスネットワーク装置は、無線アクセスネットワーク内に配備され、例えば基地局（Base Station、略してBS）等の、端末装置に無線通信機能を提供するように構成された装置である。基地局は、マクロ基地局、マイクロ基地局、中継局、アクセスポイント等の様々な形式を含み得る。基地局機能を有する基地局の名前は、システムで使用される無線アクセス技術によって異なる場合がある。例えば、LTEネットワークでは、基地局は進化型ノードB（evolved NodeB、略してeNB、またはeNodeB）と呼ばれ、第3世代3Gネットワークでは、基地局はノードB（Node B）等と呼ばれ、その後の進化したシステムでは、基地局はgNBと呼ばれることがある。5GまたはNRシステムでは、1つのNR gNBは、1つ以上の伝送受信ポイント（Transmission Reception Point、TRP）を含む場合があることに留意されたい。すべてのTRPは同じセルに属し、各TRPと端末の両方は、本発明の実施形態で説明される測定報告方法を使用することができる。別のシナリオでは、ネットワーク装置12は、制御部（Control Unit、CU）およびデータ部（Data Unit、DU）をさらに含み得る。1つのCUは複数のDUに対応することができ、各DUと端末の両方は、本発明の実施形態で説明した測定報告方法を使用することができる。CU−DU分離シナリオとマルチTRPシナリオとの違いは、DUがプロトコルスタック機能を実装できるのに対し、TRPは単なる無線周波数ユニットすなわちアンテナ装置であるという点にある。例えば、DUは物理層機能を実装できる。
【００６０】
説明を簡単にするために、本出願では、アクセスネットワーク装置および端末装置を、実施形態を説明するための例として使用する。
【００６１】
図2は、一実施形態による通信システム100の概略構造図である。通信システムは、アクセスネットワーク装置および端末装置1、2を含む。端末装置1および端末装置2にサービスを提供するセルは、同じアクセスネットワーク装置からのものである。キャリアアグリゲーション技術が適用される通信システムでは、すべてが1つの端末装置にサービスを提供する複数のコンポーネントキャリアは、一次コンポーネントキャリアと二次コンポーネントキャリアとを含む。キャリアアグリゲーション機能を備えた端末装置によって集約されるセルは、1つの一次セルといくつかの二次セルとを含む。一次コンポーネントキャリアに対応するセルは一次セルと呼ばれ、二次コンポーネントキャリアに対応するセルは二次セルと呼ばれる。一次セル（Primary Cell、略してPCell）は、端末装置の初期アクセス中に決定されるセルである。端末装置は、一次セルで無線リソース制御接続を確立し、一次セルで初期コールの確立、無線リソース制御（Radio Resource Control、略してRRC）再構成、セルハンドオーバ等を実行する。二次セル（Secondary Cell、略してSCell）は、RRC再構成中に追加され、追加の無線リソースを提供してデータ伝送を実行するように構成される。アクセスネットワーク装置は、要求にしたがって二次セルを起動または停止することができる。二次セルが非起動状態にある場合、端末装置は、二次セルにおいて、ダウンリンク制御チャネルをリッスンせず、アップリンクデータおよびチャネル状態情報等を送信しない。二次セルが起動された後、端末装置は対応するリッスンおよび伝送を開始する。図1では、端末装置1と端末装置2とは、アクセスネットワーク装置の複数のキャリアに別々に接続されている。端末装置2にサービスを提供するセルは、一次セルおよび2つの二次セル（二次セル1および二次セル2）を含む。端末装置1にサービスを提供するセルは、一次セルおよび二次セル1を含む。
【００６２】
二次セルを起動する必要がある場合、アクセスネットワーク装置は起動コマンドを端末装置に送信する。アクセスネットワーク装置から受信した起動コマンドに応答して、端末装置はチャネル状態を測定し、チャネル状態の測定結果をフィードバックする。チャネル状態情報を取得するために、端末装置はダウンリンク参照信号を測定する必要がある。言い換えれば、二次セル起動プロセスにおいて、アクセスネットワーク装置は、端末装置からダウンリンクチャネル状態の測定結果、例えばチャネル状態情報（CSI）を取得する必要がある。LTEリリース8では、CSIは、チャネル品質情報（Channel Quality Information、略してCQI）、プリコード化マトリクス指示（Precoding Matrix Indication、略してPMI）、およびランク指示（Rank Indication、略してRI）を含み、さらに別の形式のCSI、例えば、雑音および干渉のフィードバック、および受信共分散フィードバックを含んでもよい。本発明の本実施形態では、CSIに含まれる具体的内容は限定されない。
【００６３】
通信システム100がNRシステムである例が、以下で説明のために使用される。本発明の本実施形態におけるNRシステムで使用される参照信号は、CRSを含まなくてもよい。二次セルの起動に必要なチャネル状態測定に使用される参照信号は、同期信号または追加の参照信号（Additional Reference Signal、略してARS）を含む。同期信号は、一次同期信号と二次同期信号を含む。参照信号の送信周期を構成することができる。NRシステムでは、同期信号はさらに別のタイプの信号を含み得る。本発明の本実施形態において、同期信号が二次セル起動を測定するために使用されるとき、同期信号に含まれる複数の異なる信号のうちの1つ以上が測定され得る。これは、本明細書では特に限定されない。
【００６４】
同期信号は、既知のシーケンスであり、自己相関が良好で相互相関が低いシーケンス、例えばZadoff−Chu（ZC）シーケンスであってもよい。端末装置は、ローカルシーケンスにしたがってアクセスネットワーク装置からの同期信号との同期相関を実行して、アクセスネットワーク装置との同期を実施する。NRと従来の通信システムとの違いは、NRシステムではビームフォーミング（Beamforming）技術が使用されているという点にある。ビームフォーミング技術では、有意なゲインを取得するために、アナログビームおよび／またはデジタルビームを使用して伝播方向が制御され得る。NRシステムは、ビームフォーミング伝送方法で制御チャネルを伝送する。制御チャネルに対応する参照信号も同じビームを使用して伝送される。同期をより柔軟に実行するために、同期信号の送信周期を動的に構成することができる。
【００６５】
高周波マルチビーム伝送シナリオでは、1つのセルが少なくとも1つのビーム（Beam）に対応する。各セルの同期信号は、少なくとも1つの同期信号ブロック（SS block）を含む。対応する同期信号ブロックは、セルに対応する少なくとも1つのビームで送信される。具体的には、複数のセルの同期信号は同期信号設定周期で送信され、1つの周期ではいくつかの同期信号バースト（SS burst）を含み、各同期信号バーストは1つのセルに対応し、各同期信号バーストは少なくとも1つの同期信号ブロックを含む。二次セルを起動するとき、アクセスネットワーク装置は、少なくとも1つのビームの一部またはすべてで同期信号ブロックを送信する必要がある。端末装置は、各同期信号ブロックを測定し、各同期信号ブロックの測定結果をフィードバックし、CSIをアクセスネットワーク装置に報告する。
【００６６】
同期信号に加えて、CSI測定を実行するために追加の参照信号をさらに使用してもよい。追加の参照信号は、例えば、チャネル状態情報参照信号（Channel State Information−Reference Signal、略してCSI−RS）を含んでもよい。追加の参照信号は、端末装置に対して個別に送信されてもよい。したがって、測定をより迅速かつより正確に実行するために、追加の参照信号の送信周期または送信周波数も構成され得る。
【００６７】
本実施形態は、二次セル起動方法を提供する。アクセスネットワーク装置は、第1参照信号と、第1参照信号の第1構成情報とを端末装置に送信することができるため、端末装置が第1構成情報にしたがって第1参照信号に対してチャネル測定を実行する。これにより、二次セル起動の柔軟性および効率が向上する。
【００６８】
起動コマンドは、1つ以上の二次セルの起動を示すために使用できることに留意されたい。起動コマンドが複数の二次セルを起動することを示すとき、アクセスネットワーク装置は同じ方法で複数の二次セルを起動する。1つの二次セルを起動する手順が、以下で説明のために例として使用される。当業者は、起動コマンドが複数の二次セルの起動を示すとき、本発明の本実施形態における二次セル起動方法は、起動される複数の二次セルのいずれか1つに使用され得ることを学習することができる。
【００６９】
以下に、本発明の本実施形態をさらに詳細に説明する。
【００７０】
図3は、一実施形態による二次セル起動方法のフローチャートである。この方法は、具体的には以下のステップを含む。
【００７１】
ステップ301：アクセスネットワーク装置が、起動コマンドを端末装置に送信し、この起動コマンドは、二次セルの起動を示すために使用されるものであり、端末装置は起動コマンドを受信する。
【００７２】
ステップ302：アクセスネットワーク装置は、第1参照信号の第1構成情報を端末装置に送信し、端末装置は、第1構成情報を受信する。
【００７３】
第1参照信号は、チャネル測定を実行し、起動コマンドに応答して測定結果を生成するために端末装置によって使用される。
【００７４】
ステップ303：アクセスネットワーク装置は、第1構成情報にしたがって第1参照信号を端末装置に送信し、この第1参照信号は、二次セルのチャネル測定結果を取得するために使用される。
【００７５】
ステップ304：端末装置は、第1構成情報にしたがって第1参照信号を測定し、チャネル測定結果を取得する。
【００７６】
ステップ301から304において、アクセスネットワーク装置は、端末装置の二次セルを起動する。オプションで、方法はさらに、ステップ305：端末装置はチャネル測定結果をアクセスネットワーク装置に送信し、アクセスネットワーク装置は端末装置からチャネル測定結果を受信する、を含んでもよい。最後に、アクセスネットワーク装置が測定結果を受信した後、アクセスネットワーク装置および端末装置は、二次セルを使用してデータまたは情報の伝送を実行してもよい。
【００７７】
本明細書では、前述のステップの番号は、特定の実行プロセスにおける順序を制限しないことに留意されたい。異なるオプションの設計では、前述のステップを実行する順序は適応的に調整される。
【００７８】
本発明の本実施形態における解決策によれば、アクセスネットワーク装置は、第1参照信号と、第1参照信号の第1構成情報とを端末装置に送信することができるため、端末装置が第1構成情報にしたがって第1参照信号に対してチャネル測定を実行する。この解決策は、従来技術における、固定された構成または固定された周期を有するCRSのみに基づいて二次セルを測定および起動できるという従来の事例を回避するため、二次セルの起動の柔軟性を向上させ、二次セルの起動効率を向上させる。
【００７９】
本明細書では、前述のステップの番号は、特定の実行プロセスにおける順序を制限しないことに留意されたい。異なるオプションの設計では、前述のステップを実行する順序は適応的に調整される。
【００８０】
本実施形態のステップ301において、アクセスネットワーク装置は、起動状態の一次セルまたは二次セルを使用して、端末装置に起動コマンドを送信してもよい。起動コマンドは、物理層シグナリング、または例えば、メディアアクセス制御（MAC）シグナリングもしくはRRCシグナリングである、上位層シグナリングであってもよい。起動コマンドは、少なくとも1つの二次セルを起動および／または停止するために使用される指示を含むことができ、さらに別の方法で起動または停止される二次セルのアイデンティティ、例えばセル無線ネットワーク一時識別子（Cell Radio Network Temporary Identifier、略してC−RNTI）を含む、あるいは示すことができる。特定の指示方法では、ビットの異なる状態を使用して、起動と停止を表すことができる。起動コマンドのフォーマット、タイプ、および指示方法は、本明細書では特に限定されない。
【００８１】
例えば、二次セルを起動および／または停止するためのMAC層シグナリングのフォーマットは以下のとおりであってもよい。
【表１】
2020529800.tif 000003
【００８２】
MACシグナリングは、インジケータビットC1からC7および1つの予約ビットRを含み、各インジケータビットは1ビットであってもよい。インジケータビットC1〜C7は、7つの二次セルに対応している。例えば、7つの二次セルは、セルアイデンティティの昇順でC1〜C7に順番に対応する。インジケータビットC1〜C7のいずれかの値が1の場合、インジケータビットに対応する二次セルが起動されていることを示す。インジケータビットの値が0の場合、インジケータビットに対応する二次セルが停止されていることを示す。
【００８３】
オプションで、起動コマンドを送信する前に、アクセスネットワーク装置は、端末装置のために二次セルを起動する必要があるか否か、例えば、アクセスネットワーク装置と端末装置との間で比較的大量のデータを伝送する必要があるか否か、または、一次セルと、起動状態の現在の二次セルが伝送要求を満たせないか否かを判断する。例えば、アクセスネットワーク装置は、統計収集を通じて、アクセスネットワーク装置と端末装置との間で一定時間内に伝送されるデータの量が特定の閾値を超え、現在の二次セルが伝送要求を満たすことができないことを学習する。あるいは、アクセスネットワークは、端末装置からフィードバック情報をさらに受信してもよい。フィードバック情報は、アクセスネットワーク装置に二次セルの起動を要求するために使用される。例えば、端末装置は、サービスがキャリアリソースまたはネットワーク帯域幅に対して比較的高い要求を課していると判断する。要求が特定の閾値を満たしている場合、端末装置はアクセスネットワーク装置にフィードバック情報を送信する。フィードバック情報は起動要求であってもよい。特定の決定方法については、二次セルを起動する必要がある従来技術または別の事例を参照されたい。これは、本明細書では特に限定されない。
【００８４】
オプションで、アクセスネットワーク装置は、起動する必要がある二次セルの量と、対応する二次セルを自発的にまたは規則にしたがって決定してもよい。例えば、アクセスネットワーク装置は、維持されている各二次セルの負荷状態にしたがって、履歴における負荷が比較的軽い1つ以上の二次セルを現在起動すべき二次セルとして決定する。別の例では、アクセスネットワーク装置は、1つ以上の停止状態の二次セルをランダムに選択する。さらに別の例では、アクセスネットワーク装置は、起動する必要がある二次セルの量と、対応する二次セルを規則にしたがって決定する。規則は、アクセスネットワーク装置によって事前に構成されているか、アクセスネットワーク装置と端末装置の間で事前に合意されているか、あるいはプロトコルまたは標準で指定されている。アクセスネットワーク装置は、アクセスネットワーク装置と端末装置との間で伝送されるデータの量に応じて、起動される必要がある二次セルの量をさらに決定してもよい。これは、本明細書では特に限定されない。
【００８５】
本実施形態のステップ302では、第1参照信号は、チャネル測定を実行するために端末装置によって使用され得る任意の参照信号であってよい。本実施形態における以下の第1および第2実装形態は、特定の実装中の、第1参照信号の可能な構成方法を別々に説明する。
【００８６】
第1実装形態では、第1参照信号は、構成可能な周期を有する参照信号である。通信システムでは、二次セル起動コマンドに応答してチャネル測定を実行するために端末装置が参照信号を使用することが、デフォルトで考慮されるか、または指定されている。本実装形態では、起動命令に応答して、端末装置は、第1参照信号の構成情報にしたがってダウンリンク参照信号を受信および測定するのを待機する。これにより、CRSを使用することによってのみ二次セルを測定できるという従来技術の欠点が克服され、二次セルの起動の柔軟性が向上する。
【００８７】
具体的には、第1参照信号は、同期信号SSまたは追加の参照信号（Additional Reference Signal、略してARS）であってもよい。アクセスネットワーク装置は、複数の通知方法、例えば、無線リソース制御（Radio Resource Control、略してRRC）シグナリング、ブロードキャスト情報、MACシグナリング、または物理層シグナリングのいずれか1つで、第1参照信号の第1構成情報を端末装置に送信してもよい。追加の参照信号は、具体的にはCSI−RSまたはモビリティ参照信号（Mobility Reference Signal、略してMRS）であってもよい。第1構成情報は、以下の情報、すなわち参照信号送信指示、参照信号送信時刻、参照信号周期、参照信号時間ドメインリソースロケーション、参照信号周波数ドメインリソースロケーション、および参照信号構成インデックスのうちの少なくとも1つを含む。参照信号構成インデックスは、参照信号構成情報のロケーションを示すために使用される。オプションで、第1参照信号の送信時刻は、アクセスネットワーク装置が第1参照信号を送信する時刻とアクセスネットワーク装置が起動コマンドを送信する時刻との間の時間差であるか、またはアクセスネットワーク装置が第1参照信号を送信する時刻である。
【００８８】
一実装形態では、第1参照信号は同期信号である。端末装置が、起動される二次セルと同期しているか否かに関係なく、端末装置は、第1参照信号を使用して二次セルを起動してもよい。具体的には、端末装置が、起動される二次セルと同期されていない場合、端末装置は同期信号を受信して、同期および測定を実行する。端末装置が、起動される二次セルと同期されていない場合、端末装置は同期信号を測定して、チャネル測定結果を取得する。
【００８９】
別の実装形態では、第1参照信号は、CSI−RS等の追加の参照信号である。
【００９０】
本実装形態では、第1参照信号は、アクセスネットワーク装置が起動コマンドを送信する前に、第1構成情報を使用してアクセスネットワーク装置によって構成され、起動コマンドを送信するシナリオや、二次セルを起動するシナリオではで変更されないことに留意されたい。したがって、本実装形態では、第1参照信号の構成情報は、第1構成情報と呼ばれ得る。しかし、この第1構成情報の意味は、以下の第2実装形態においてさらに「第3構成情報」がある場合の「第1構成情報」の意味とは異なる。
【００９１】
上述したように、本実施形態のNRシステムでは、同期をより柔軟に実行するために、同期信号の送信周期を動的に構成することができる。同期信号は周期的に送信されるが、周期は比較的長くても比較的短くてもよい。同期信号の周期が動的に構成されるこのシナリオでは、アクセスネットワーク装置が端末装置の二次セルを起動する必要がある場合、アクセスネットワーク装置が現在、同期信号の比較的長い周期を構成していれば、端末装置は測定を実行する前に比較的長い時間待機する必要がある。以下は、図4を参照して具体的な説明を提供する。図4は、NRシステムにおける複数のビームのシナリオにおける同期信号伝送の概略図である。マルチビーム伝送中、二次セルは、複数のビームで端末装置と相互作用してもよい。同期信号を送信するとき、アクセスネットワーク装置は、同期信号バーストを形成するために、二次セルに対応する複数のビームの一部またはすべてで、対応する同期信号ブロックを個別に送信する必要がある。1つの同期信号周期において、端末装置が起動する二次セルの起動コマンドを受信したときにちょうど、起動される二次セルに対応する同期信号バースト（ブラックビームに対応）が終了した場合、端末装置は、次の同期信号周期で同期信号バースト（ブラックビームに対応）を待機する必要がある。その結果、特に同期信号周期が比較的長い場合、二次セルの起動プロセスで比較的大きな遅延が発生する。
【００９２】
前述の問題を解決するために、本実施形態はさらに以下の第2実装形態を提供する。第2実装形態では、第1参照信号がアクセスネットワーク装置によって一時的に構成されるか一時的に送信さるため、端末装置が二次セル起動コマンドに応答する。
【００９３】
第2実装形態の第1のオプションの設計では、第1参照信号は、時間ドメインで端末装置の利用可能な第2参照信号の前に配置され、第2参照信号は第2構成情報を使用して構成される。第2参照信号は、第1参照信号と同じ参照信号であってもよい。例えば、第1参照信号と第2参照信号は両方とも同期信号である。あるいは、第2参照信号は、第1参照信号とは異なる参照信号であってもよい。例えば、第1参照信号は同期信号であり、第2参照信号は追加の参照信号である。
【００９４】
具体的には、第1参照信号と第2参照信号の両方が同期信号である例を使用して説明する。同期のために現在構成されている第2参照信号の周期が比較的長く、端末装置が二次セル起動プロセスで利用可能な第2参照信号を受信する前に比較的長い時間待機する必要があるとアクセスネットワーク装置が判断すると、アクセスネットワーク装置は、二次セルを起動するために、比較的短い周期の第1参照信号を構成するために、第1構成情報を端末装置に送信してもよい。第1同期信号を送信した後、アクセスネットワーク装置は、第2構成情報を送信して、第2同期信号の元の周期構成を復元するか、第2同期信号の周期を再構成してもよい。
【００９５】
第2実装形態の第2のオプションの設計では、第1参照信号は、時間ドメインで端末装置の隣接する2つの第2参照信号の間に配置され、この2つの隣接する第2参照信号は同じ第2構成情報を使用して構成される。第2参照信号は、第1参照信号と同じ参照信号であってもよい。例えば、第1参照信号と第2参照信号は両方とも同期信号である。あるいは、第2参照信号は、第1参照信号とは異なる参照信号であってもよい。例えば、第1参照信号は同期信号であり、第2参照信号は追加の参照信号である。
【００９６】
例えば、アクセスネットワーク装置は、第2構成情報を使用して特定の周期を有する第2参照信号を構成する。同期のために現在構成されている第2参照信号の周期が比較的長く、端末装置が二次セル起動プロセスで利用可能な第2参照信号を受信する前に比較的長い時間待機する必要があるとアクセスネットワーク装置が判断すると、アクセスネットワーク装置は、2つの隣接する第2参照信号の間に第1参照信号を一時的に挿入してもよい。このように、アクセスネットワーク装置は、第2参照信号を再構成する必要はなく、第1構成情報を使用して第1参照信号を構成するだけでよい。
【００９７】
第2のオプションの設計では、第1参照信号の構成は同じタイプの既存の参照信号の構成とは異なり、第1参照信号は一時的に送信されて二次セルを起動する。第1参照信号の構成と、同じタイプの既存の参照信号の構成とを区別するために、本明細書では、一時的に送信される第1参照信号の構成情報は、第1構成情報と呼ばれ、第1参照信号と同じタイプであり、第1参照信号の前に事前構成された、または動的に構成された参照信号は第3参照信号と呼ばれ、第3参照信号の構成情報は第3構成情報と呼ばれる。NRシステムでは、不定期に構成された参照信号が存在する場合がある。したがって、第3参照信号が周期的に構成された参照符号であるか、または不定期に構成された参照信号であるかは、本発明の本実施形態では限定されない。二次セルが起動されたときに、アクセスネットワーク装置が二次セルを起動するために使用される第1参照信号を一時的に送信するために使用できるリソースがあると判断したときに、第1構成情報が決定され、具体的には上位層シグナリングまたは物理層シグナリングを使用して端末装置に送信される。これは、本明細書では特に限定されない。説明を簡単にするために、以下では、第1参照信号が追加の参照信号である場合の例としてCSI−RSを使用して説明する。
【００９８】
ここで、第2参照信号は、通信システムで指定され、二次セル起動コマンドに応答してチャネル測定を実行するために使用される参照信号、または二次セルの起動コマンドに応答してチャネル測定を実行する機能を有する参照信号であることに留意されたい。さらに、第2参照信号も測定用に構成される（例えば、同期信号は同期用に構成される）。第2参照信号の構成情報は、第2構成情報と呼ばれる。第2構成情報は、アクセスネットワーク装置によって半静的または動的に構成されているか、プロトコルまたは標準で指定されているか、アクセスネットワーク装置と端末装置によってネゴシエートされるか、または二次セルを起動するための別の方法で決定される。第2構成情報は、二次セルを起動するシナリオでは変更されない。第1参照信号は、二次セルが起動されたときにチャネル測定を実行するために一時的に送信される参照信号であり、第1参照信号の構成情報は第1構成情報と呼ばれる。第1参照信号および第2参照信号は、同じタイプの参照信号であってもよいし、異なるタイプの参照信号であってもよい。
【００９９】
第2実装形態では、ステップ302の前に、オプションで、アクセスネットワーク装置が、第1参照信号を端末装置に送信するか否かを決定する必要がある。具体的には、図5は、二次セル起動方法における第1参照信号のオプションの構成の概略図である。
【０１００】
図5では、アクセスネットワーク装置は、端末装置のために二次セルを起動することを決定し、時点t1で起動コマンドを送信する。アクセスネットワーク装置は第2構成情報にしたがって、時点t0および時点t2が、アクセスネットワーク装置が第2構成情報にしたがって第2参照信号を発行する隣接する時点であると判断する。時点t0は時点t1の前であり、時点t2は時点t1の後である。この場合、端末装置は、起動コマンドを受信した後、対応する参照信号を受信して測定するために、第1持続時間tだけ待機する必要があり、ここでt＝t2−t1である。参照信号の周期が比較的長い場合、または時点t0が過ぎたすぐ後に起動コマンドを発行する必要がある場合、端末装置は時点t2で、対応する第2参照信号を測定する前に非常に長い時間待機する必要がある。
【０１０１】
このシナリオでは、二次セルが起動されたときに生じる遅延を低減し、二次セルの起動効率を向上させるために、アクセスネットワーク装置は、時点t1と時点t2との間の時点t3に一時的に、一組の第1参照信号を送信するため、端末装置は、起動コマンドに応答して、参照信号を迅速に検出し、測定結果をフィードバックできる。一時的に送信される参照信号は、第1構成情報にしたがって送信され、第1構成情報は、一時的に送信される参照信号が送信される前に端末装置に通知される必要がある。第1構成情報の内容および送信方法は、以下で詳細に説明される。オプションで、アクセスネットワーク装置は第1閾値を決定するため、アクセスネットワーク装置は、第1持続時間tが第1閾値よりも大きい場合に二次セル起動のための一組の参照信号を一時的に送信することを決定する。オプションで、第1閾値は、アクセスネットワーク装置によって自発的に決定されてもよく、標準またはプロトコルで指定されてもよく、または端末装置および端末装置によってネゴシエートされてもよい。これは、本明細書では特に限定されない。
【０１０２】
具体的には、第1参照信号が送信される必要があるとき、第1参照信号を送信するために、アクセスネットワーク装置は、さらに、第1参照信号を送信するために利用可能なリソースを決定し、利用可能なリソースにしたがって第1構成情報を決定する必要がある。
【０１０３】
以下では、例を使用して第2実装形態をさらに説明する。
【０１０４】
例1：第1参照信号は同期信号SSであり、ステップ302の第1構成情報は、二次セルを起動するために一時的に送信される同期信号SSの構成情報である。
【０１０５】
オプションの設計では、第2参照信号が同期信号である例が使用される。既存のLTEシステムでは、同期信号SSの周期は、例えば5msに固定されている。NRシステムでは、同期信号の周期は動的に構成され、周期は持続時間内に大きく異なる場合がある。二次セルの起動効率を向上させるために、アクセスネットワーク装置は一時的にSSを送信するため、端末装置が二次セルを測定する。
【０１０６】
本発明の本実施形態の前述の説明を参照すると、一組の同期信号が一時的に送信される必要があるとアクセスネットワーク装置が判断すると、アクセスネットワーク装置は、同期信号の送信に使用される利用可能なリソースがあるか否かを判断する必要がある。利用可能なリソースがある場合、アクセスネットワーク装置は第1構成情報を決定する。利用可能なリソースがない場合、アクセスネットワーク装置は同期信号を一時的に送信できず、端末装置は、起動コマンドおよび第2構成情報にしたがって、次の時点で同期信号を受信および測定するために待機することがある。
【０１０７】
第1参照信号、すなわち同期信号を一時的に送信するために使用できるリソースがあるとアクセスネットワーク装置が判断すると、アクセスネットワーク装置は、同期信号を一時的に送信するためのリソースの第1構成情報と同期信号とを端末装置に送信する。一時的に送信される同期信号のグループは、周期的に送信される場合と、1回送信される場合がある。これは、本明細書では特に限定されない。しかし、一時的に挿入される同期信号の第1構成情報が端末装置に送信される必要があるため、端末装置は同期信号を受信して測定する。具体的には、第1参照信号は、時間ドメインで端末装置の利用可能な第2参照信号の前に配置され、利用可能な第2参照信号は、第2構成情報を使用して構成される。オプションで、時間ドメインでは、第1参照信号は、時間ドメインで隣接し、第2構成情報を使用して構成された2つの第2参照信号の間に配置される。
【０１０８】
オプションの設計では、二次セル起動コマンドに応答して、二次セルが起動されたときにチャネル測定の実行に使用できる次の第2参照信号を時間ドメインで送信する前に、アクセスネットワーク装置は、第1構成情報を使用して第1参照信号を事前に構成し、第1参照情報を端末装置に送信することができるため、端末装置は、前述の利用可能な第2参照信号を受信する前に比較的長い時間待機する必要がなく、迅速に第1参照信号を受信してチャネル測定を実行し、チャネル測定結果を取得する。これにより、二次セルの起動効率が向上する。
【０１０９】
このオプションの設計では、第1参照信号と第2参照信号とは同じタイプの参照信号であり、時間ドメインにおいて異なるロケーションに分布する。第1参照信号の送信は、第1構成情報を使用して構成され、二次セルを起動するために使用される。第2参照信号の送信は、第2構成情報を使用して構成され、端末装置との同期を実施するために使用される。オプションで、第2参照信号は周期的に送信され、複数の第2参照信号は、異なる、時間ドメインのロケーションに分布する。これは、本明細書では特に限定されない。
【０１１０】
別のオプションの設計では、第2参照信号は、同期信号以外の別のタイプの参照信号、例えば追加の参照信号であってもよい。本明細書では、説明のための例としてCSI−RSが使用される。
【０１１１】
本発明の本実施形態の前述の説明を参照すると、一組の同期信号が一時的に送信される必要があるとアクセスネットワーク装置が判断すると、アクセスネットワーク装置は、同期信号の送信に使用される利用可能なリソースがあるか否かを判断する必要がある。利用可能なリソースがある場合、アクセスネットワーク装置は第1構成情報を決定する。利用可能なリソースがない場合、アクセスネットワーク装置は同期信号を一時的に送信できず、端末装置は、起動コマンドと、通信システムで指定され、二次セルを起動するために使用される第2参照信号CSI−RSの第2構成情報とにしたがって、次の利用可能な第2参照信号を受信および測定するために待機することがある。
【０１１２】
第1参照信号、すなわち同期信号を一時的に送信するために使用できるリソースがあるとアクセスネットワーク装置が判断すると、アクセスネットワーク装置は、同期信号を一時的に送信するためのリソースの第1構成情報、および同期信号を端末装置に発行する。一時的に送信される同期信号のグループは、周期的に送信される場合と、1回送信される場合がある。これは、本明細書では特に限定されない。しかし、一時的に挿入される同期信号の第1構成情報が端末装置に送信される必要があるため、端末装置は同期信号を受信して測定する。具体的には、第1参照信号は、時間ドメインで端末装置の利用可能な第2参照信号の前に配置され、利用可能な第2参照信号は、第2構成情報を使用して構成される。オプションで、時間ドメインでは、第1参照信号は、時間ドメインで隣接し、第2構成情報を使用して構成された2つの第2参照信号の間に配置される。
【０１１３】
このオプションの設計では、第1参照信号と第2参照信号とは異なるタイプの参照信号であり、時間ドメインにおいて異なるロケーションに分布する。第1参照信号の送信は、第1構成情報を使用して構成され、二次セルを起動するために一時的に送信される。第2参照信号の送信は、第2構成情報を使用して構成され、特定の測定を実行するために使用される。例えば、CSI−RSは、データスケジューリングを測定し、測定を実行するためにアンテナポートでデータの前に参照信号を送信するために使用される。別の例では、MRSは端末装置のモビリティを測定するために使用される。オプションで、第2参照信号は周期的に送信され、複数の第2参照信号は、異なる、時間ドメインのロケーションに分布する。これは、本明細書では特に限定されない。
【０１１４】
例1では、アクセスネットワーク装置は、端末装置が二次セルと同期しているか否かを考慮する必要はなく、利用可能なリソースがある場合に一組の同期信号を一時的に送信するため、端末装置がチャネル測定を実行する。このようにして、端末装置が非常に長い時間待機することが防止され、二次セルの起動の柔軟性と効率が向上する。
【０１１５】
例2：第1参照信号は、CSI−RSまたはMRS等の追加の参照信号であり、ステップ302の第1構成情報は、追加の参照信号の構成情報である。第1実装形態と同様に、一組の追加の参照信号が一時的に送信される必要があるとアクセスネットワーク装置が判断すると、アクセスネットワーク装置は、追加の参照信号の送信に使用される利用可能なリソースがあるか否かを判断する必要がある。利用可能なリソースがある場合、アクセスネットワーク装置は第1構成情報を決定する。利用可能なリソースがない場合、アクセスネットワーク装置は追加の参照信号を一時的に送信できず、端末装置は、起動コマンドおよび第2構成情報にしたがって、次の時点で追加の参照信号を受信および測定するために待機することがある。
【０１１６】
オプションの設計では、第2参照信号が追加の参照信号である例が使用される。第2参照信号および第1参照信号は同じタイプを有し、例えば、両方ともCSI−RSである。本発明の本実施形態の前述の説明を参照すると、一組の第1参照信号が一時的に送信される必要があるとアクセスネットワーク装置が判断すると、アクセスネットワーク装置は、第1参照信号の送信に使用される利用可能なリソースがあるか否かを判断する必要がある。利用可能なリソースがある場合、アクセスネットワーク装置は第1構成情報を決定する。利用可能なリソースがない場合、アクセスネットワーク装置は第1参照信号を一時的に送信できず、端末装置は、起動コマンドおよび第2構成情報にしたがって、次の時点で第2参照信号を受信および測定するために待機することがある。
【０１１７】
第1参照信号、すなわち追加の参照信号を一時的に送信するために使用できるリソースがあるとアクセスネットワーク装置が判断すると、アクセスネットワーク装置は、追加の参照信号を一時的に送信するためのリソースの第1構成情報、および追加の参照信号を端末装置に発行する。一時的に送信される追加の参照信号のグループは、周期的に送信される場合と、1回送信される場合がある。これは、本明細書では特に限定されない。しかし、一時的に挿入される追加の参照信号の第1構成情報が端末装置に送信される必要があるため、端末装置は追加の参照信号を受信して測定する。具体的には、第1参照信号は、時間ドメインで端末装置の利用可能な第2参照信号の前に配置され、利用可能な第2参照信号は、第2構成情報を使用して構成される。オプションで、時間ドメインでは、第1参照信号は、時間ドメインで隣接し、第2構成情報を使用して構成された2つの第2参照信号の間に配置される。
【０１１８】
このオプションの設計では、第1参照信号と第2参照信号とは同じタイプの追加の参照信号であり、時間ドメインにおいて異なるロケーションに分布する。第1参照信号の送信は、第1構成情報を使用して構成され、二次セルを起動するために一時的に送信される。第2参照信号の送信は、第2構成情報を使用して構成され、特定の測定を実行するために使用される。例えば、CSI−RSは、データスケジューリングを測定し、測定を実行するためにアンテナポートでデータの前に参照信号を送信するために使用される。オプションで、第2参照信号は周期的に送信され、複数の第2参照信号は、異なる、時間ドメインのロケーションに分布する。これは、本明細書では特に限定されない。
【０１１９】
別のオプションの設計では、第2参照信号は、第1参照信号とは異なるタイプの参照信号であってもよい。例えば、第2参照信号は同期信号であり、第1参照信号はCSI−RSである。
【０１２０】
本実施形態の前述の説明を参照すると、二次セルを起動するために、一組のCSI−RSが一時的に送信される必要があるとアクセスネットワーク装置が判断すると、アクセスネットワーク装置は、CSI−RSの送信に使用される利用可能なリソースがあるか否かを判断する必要がある。利用可能なリソースがある場合、アクセスネットワーク装置は第1構成情報を決定する。利用可能なリソースがない場合、アクセスネットワーク装置はCSI−RS信号を一時的に送信できず、端末装置は、起動コマンドと、通信システムで指定され、二次セルを起動するために使用される第2参照信号の第2構成情報とにしたがって、次の利用可能な第2参照信号を受信および測定するために待機することがある。
【０１２１】
第1参照信号、すなわちCSI−RSを一時的に送信するために使用できるリソースがあるとアクセスネットワーク装置が判断すると、アクセスネットワーク装置は、CSI−RSを一時的に送信するためのリソースの第1構成情報、およびCSI−RSを端末装置に発行する。一時的に送信されるCSI−RSのグループは、周期的に送信される場合と、1回送信される場合がある。これは、本明細書では特に限定されない。しかし、一時的に挿入されるCSI−RSの第1構成情報が端末装置に送信される必要があるため、端末装置はCSI−RSを受信して測定する。具体的には、第1参照信号は、時間ドメインで端末装置の利用可能な第2参照信号の前に配置され、利用可能な第2参照信号は、第2構成情報を使用して構成される。オプションで、時間ドメインで、第1参照信号は、第2参照信号の後に配置され、この第2参照信号は、時間ドメインで、利用可能な第2参照信号の前に配置され、第2構成情報を使用して構成される。
【０１２２】
実施例2では、第1参照信号と第2参照信号とは異なるタイプの参照信号であり、時間ドメインにおいて異なるロケーションに分布する。第1参照信号の送信は、第1構成情報を使用して構成され、二次セルを起動するために一時的に送信される。第2参照信号の送信は、第2構成情報を使用して構成され、端末装置とセルとの間の同期を実施するために使用される。オプションで、第2参照信号は周期的に送信され、複数の第2参照信号は、異なる、時間ドメインのロケーションに分布する。これは、本明細書では特に限定されない。
【０１２３】
ここで、同期信号を使用して二次セルを起動することがデフォルトで考慮されるか、通信システムで指定される場合、端末装置はアクセスネットワーク装置によって送信された同期信号を受信して測定し、測定結果をアクセスネットワーク装置にフィードバックすることに留意されたい。前述の説明によれば、特に二次セルが複数のビームに対応し、同期または二次セル起動を完了するために同期信号ブロックを複数のビームのうち少なくとも1つで送信する必要がある場合、同期信号はCSI−RS等の追加の参照信号よりも多くのリソースを占有する。二次セルの起動効率を向上させるために、二次セルを起動するために同期信号が一時的に送信される必要があると判断した場合、アクセスネットワーク装置は、非常に長い時間の後にのみ、同期信号を一時的に送信するために使用される十分なリソースを取得するか、第2構成情報を使用して構成された次の利用可能な第2参照信号が送信される前に、同期信号を一時的に送信するために使用される十分なリソースを取得できない場合がある。この方法では、二次セル起動効率を向上させることはできない。したがって、このオプションの設計では、CSI−RS等の追加の参照信号はリソース上で比較的まばらな分布であり、比較的少量のリソースを占有するため、アクセスネットワーク装置は第1参照信号を一時的に送信するために使用される利用可能なリソースを簡単に取得し、そのため二次セルを迅速に測定して起動することができる。
【０１２４】
したがって、例2では、第1参照信号は、CSI−RSおよびMRSのいずれか等の追加の参照信号である。アクセスネットワーク装置は、二次セルを起動するための要求にしたがって、二次セルを起動するために送信リソースを容易に取得するために使用される一組の第1参照信号を一時的に送信することができるため、二次セル起動効率および柔軟性が向上する。
【０１２５】
ここで、追加の参照信号を使用して二次セルを測定および起動するシナリオでは、端末装置は二次セルと同期される必要があることに留意されたい。この場合、追加の参照信号を送信する前に、アクセスネットワーク装置は同期状態を判断する必要がある。端末装置が二次セルと同期していないと判断した場合、アクセスネットワーク装置は、端末装置が二次セルと同期した後にのみ追加の参照信号を送信し、その後二次セルを起動して測定できる。二次セルとの同期方法については、従来技術の実装形態を参照されたい。追加の参照信号を使用して二次セルを起動する特定の方法は、同期信号を使用して二次セルを起動する方法と同様である。詳細については、前述の実装形態の説明を参照されたい。
【０１２６】
例3：ステップ302の前に、ステップ30A：アクセスネットワーク装置が、端末装置が二次セルと同期しているか否かを判断する、がさらに含まれる。
【０１２７】
端末装置が二次セルと同期していないとアクセスネットワーク装置が判断すると、第1参照信号は同期信号であり、または、端末装置が二次セルと同期しているとアクセスネットワーク装置が判断すると、第1参照信号は、追加の参照信号と同期信号のいずれかであるか、または追加の参照信号と同期信号の両方が第1参照信号として使用されてもよい。
【０１２８】
本実施形態の第2実装形態の前述の説明を参照すると、一組の第1参照信号を一時的に送信する必要があるとアクセスネットワーク装置が判断すると、アクセスネットワーク装置は、前述の判断結果にしたがって、送信する必要のある第1参照信号のタイプ（同期信号または追加の参照信号）を判断し、その後アクセスネットワーク装置は、判断されたタイプの第1参照信号を送信するために使用される利用可能なリソースがあるか否かを判断する。利用可能なリソースがある場合、アクセスネットワーク装置は第1構成情報を決定する。利用可能なリソースがない場合、アクセスネットワーク装置は一時的に第1参照信号を送信できず、端末装置は、起動コマンドと第2構成情報にしたがって、次の利用可能な第2参照信号の受信と測定を待機する。
【０１２９】
第1参照信号を一時的に送信するために使用できるリソースがあるとアクセスネットワーク装置が判断すると、アクセスネットワーク装置は、第1参照号を一時的に送信するためのリソースの第1構成情報、および第1参照号を端末装置に発行する。一時的に送信される第1参照信号のグループは、周期的に送信される場合と、1回送信される場合がある。これは、本明細書では特に限定されない。しかし、一時的に挿入される第1参照信号の第1構成情報を端末装置に送信する必要があるため、端末装置が第1参照信号を受信して測定する。具体的には、第1参照信号は、時間ドメインで端末装置の利用可能な第2参照信号の前に配置され、第2参照信号は、第2構成情報を使用して構成される。オプションで、時間ドメインでは、第1参照信号は、時間ドメインで隣接し、第2構成情報を使用して構成された2つの第2参照信号の間に配置される。
【０１３０】
オプションで、ステップ305で、端末装置は、端末装置が二次セルと同期しているか否かにしたがって、端末装置が同期信号または追加の参照信号を検出する必要があるか否かを判断し、受信した第1構成情報にしたがって、対応する参照信号を測定する。本明細書では、アクセスネットワーク装置および端末装置は、同じ方法で、端末装置が二次セルと同期しているか否かを判断することに留意されたい。この判断方法は、標準またはプロトコルで事前に指定されるか、アクセスネットワーク装置と端末装置によって事前にネゴシエートされるか、またはアクセスネットワーク装置によって端末装置に事前に通知される。例えば、端末装置は、指定された時間内に有効な測定報告を1回報告して、二次セルを起動する。これは、本明細書では特に限定されない。
【０１３１】
実施例3の説明によれば、アクセスネットワーク装置は、最初に端末装置の同期状態を判断し、同期状態にしたがって、二次セルを起動するために使用される特定の参照信号を判断する。これにより、二次セル起動の柔軟性と効率が全体的に向上する。
【０１３２】
第2実装形態では、例えばチャネル干渉のために、端末装置が第1構成情報にしたがって第1参照信号を検出できないシナリオがあることに留意されたい。この場合、起動コマンドに応答して、端末装置は、第2構成情報にしたがって、一般的に構成され、二次セルを起動するために使用される参照信号を受信および測定し、測定結果をアクセスネットワーク装置にフィードバックする。オプションで、測定結果は指示情報をさらに含んでもよい。指示情報は、端末装置が第1参照信号を検出せず、第2構成情報にしたがって、二次セルを起動するために使用される参照信号を測定し、測定結果を取得することを示すために使用される。アクセスネットワーク装置は、指示情報にしたがってその後の処理を決定してもよく、例えば、別の二次セルを起動してもよい。これはここでは限定されない。
【０１３３】
さらに、本実施形態の第2実装形態では、ステップ302において、第1構成情報および起動コマンドは、端末装置に別々に送信されてもよく、または一緒に端末装置に送信されてもよい。あるいは、第1構成情報は第1部分および第2部分を含み、アクセスネットワーク装置は、第1部分および第2部分を別々に端末装置に送信する。
【０１３４】
第1実装形態では、ステップ302はステップ301の前に実行される。第1構成情報は、例えばRRC構成情報を使用して、アクセスネットワーク装置によって端末装置に送信される。ステップ302が最初に実行され、すなわち、最初に、端末装置が第1構成情報を受信する。次に、ステップ301が実行され、すなわち、アクセスネットワーク装置が起動コマンドを送信する。言い換えれば、端末装置は、起動コマンドを受信する前に、二次セルを起動するために使用される参照信号の構成情報を取得する。このようにして、起動コマンドの設計を単純化することができ、または従来技術における起動コマンドのフォーマットさえも変更する必要がないため、起動コマンドを受信した後、端末装置は、第1構成情報にしたがって、タイミング良く第1参照信号を測定する。
【０１３５】
本実装形態では、第1構成情報の送信時刻は、アクセスネットワーク装置によって静的または動的に構成されてもよく、特定の構成方法は特に限定されない。以下に、いくつかの可能な実装形態について説明する。
【０１３６】
第1のオプションの設計では、端末装置のために二次セルを構成するとき、アクセスネットワーク装置は、端末装置のために、二次セルに対応し、二次セルを起動するために使用される第1参照信号の第1構成情報を構成する。アクセスネットワーク装置が第1参照信号を送信することを決定するとき、端末装置は、第1構成情報にしたがって第1参照信号を受信および測定する。オプションで、第1構成情報は、アクセスネットワーク装置によって端末装置に周期的に、または不定期に送信されてもよい。
【０１３７】
第2のオプションの設計では、アクセスネットワーク装置が起動コマンドを送信する前に、アクセスネットワーク装置は、事前設定時間内に、端末装置に第1構成情報を送信する。例えば、アクセスネットワーク装置が、端末装置のために二次セルを起動する必要があると判断し、一組の第1参照信号を一時的に送信する必要があると判断すると、アクセスネットワーク装置はアクセスネットワーク装置が起動コマンドを送信することを決定する前、またはアクセスネットワーク装置が起動コマンドを送信する前の事前設定時間内に、第1構成情報を送信する。
【０１３８】
オプションで、事前設定時間はアクセスネットワーク装置によって事前構成され、端末装置に通知されるか、プロトコルまたは標準で事前に指定される。具体的には、端末装置は、第1構成情報を受信した後、アクセスネットワーク装置によって送信された起動コマンドを事前設定時間内または事前設定時間後に受信することを決定し、第1設定情報にしたがって、起動コマンドを受信した後に第1参照信号を受信し、測定する。
【０１３９】
第3のオプションの設計では、アクセスネットワーク装置は、起動コマンドの前に第1構成情報を端末装置に送信する。第1構成情報は、周期的であっても非周期的であってもよく、または1回送信されてもよい。端末装置は、起動コマンドの前に受信した最新の第1構成情報にしたがって、起動コマンドを受信した後に第1参照信号を受信し、測定する。この実装形態において、第1構成情報が端末装置に事前に送信される周期の長さは限定されない。二次セルの起動に使用される起動コマンドが送信される前に、端末装置は、第1構成情報を取得して第1参照信号を測定する必要がある。
【０１４０】
本実装形態では、オプションで、アクセスネットワーク装置は、起動コマンドを送信するときに、参照信号指示情報をさらに送信する。指示情報は、アクセスネットワーク装置が第1参照信号を発行することを端末装置に通知するために、第1参照信号の送信を示すために使用される。端末装置は、指示情報にしたがって、アクセスネットワーク装置が一組の第1参照信号を一時的に送信することを決定し、第1構成情報にしたがって第1参照信号を受信および測定してもよい。オプションで、起動コマンドは、参照信号指示情報を搬送する必要はなく、起動コマンドは、アクセスネットワーク装置が第1参照信号を送信することを決定することを示すために使用される。起動コマンドを受信した後、端末装置は、第1構成情報にしたがって第1参照信号を受信および測定する。
【０１４１】
第2実装形態では、ステップ301および302：アクセスネットワーク装置が、起動コマンドおよび第1構成情報を端末装置に同時に送信する、が同時に実行される。ここで、「同時に」とは、起動コマンドに第1構成情報が含まれるか、1つのトランスポートブロックに第1構成情報と起動コマンドとが含まれて全体として端末装置に発行されることを意味する。本明細書のトランスポートブロックは、変調および復調を実行するために端末装置によって使用される最小単位であってもよい。あるいは、構成情報と起動コマンドとは、同時に、異なる制御部で端末装置に送信される。本明細書における制御部は、MAC制御要素（Control Element、略してCE）であってもよく、物理ダウンリンク制御チャネル（Physical Downlink Control Channel、略してPDCCH）コマンドであってもよい。あるいは、制御部は、従来技術における別の方法で実装されてもよい。これは、本明細書では特に限定されない。
【０１４２】
第3実装形態では、ステップ301の後にステップ302が実行される。ステップ301が最初に実行され、すなわち、アクセスネットワーク装置が、起動コマンドを端末装置に送信する。次に、ステップ302が実行され、すなわち、アクセスネットワーク装置が、第1参照信号の構成情報を端末装置に送信する。端末装置は、起動コマンドの後に第1構成情報を受信し、第1構成情報にしたがって第1参照信号を受信および測定する。その後の具体的処理方法については、前述の説明を参照されたい。詳細はここでは再度説明しない。
【０１４３】
オプションで、起動コマンドの送信時刻と第1構成情報の送信時刻との間の時間間隔はTであり、Tは固定持続時間であっても非固定持続時間であってもよい。
【０１４４】
第4実装形態では、第1構成情報は第1部分および第2部分を含むことができ、アクセスネットワーク装置は、第1シグナリングおよび第2シグナリングを使用して第1部分および第2部分を別々に端末装置に送信する。
【０１４５】
例えば、第1部分は、第1シグナリングを使用して端末装置に送信され、第2部分は、第2シグナリングを使用してUEに送信される。第1シグナリングのタイプは、第2シグナリングのタイプとは異なる。オプションで、第1シグナリングと第2シグナリングの送信時刻は同じでも異なっていてもよい。また、オプションで、第1シグナリングまたは第2シグナリングは、MACシグナリング、RRCシグナリング、もしくは物理層シグナリングのうちの1つであってもよく、または別のタイプのシグナリングであってもよい。
【０１４６】
別の例として、第1部分は、第1シグナリングを使用して端末装置に送信され、第2部分は、第2シグナリングを使用してUEに送信される。第1シグナリングと第2シグナリングは、同じタイプを有するが、異なる送信時刻を有する。具体的には、第1部分と起動コマンドは同時に送信され、第2部分は起動コマンドの前または後に送信される。ここで、「同時に」とは、第1部分が起動コマンドに含まれるか、または第1部分と起動コマンドが1つのトランスポートブロックに含まれて全体として端末装置に発行されることであってもよい。あるいは、第1部分と起動コマンドとは、異なる制御部において端末装置に同時に送信される。あるいは、制御部は、従来技術における別の方法で実装されてもよい。これは、本明細書では特に限定されない。トランスポートブロックおよび制御部の説明については、前述の説明を参照されたい。
【０１４７】
さらに、本実施形態の第2実装形態では、第1構成情報は、参照信号送信指示、参照信号送信時刻、参照信号周期、参照信号時間ドメインリソースロケーション、参照信号周波数ドメインリソースロケーション、および参照信号構成インデックスのうちの1つ以上を含んでもよい。参照信号送信指示は、第1参照信号の送信を示すために使用され、参照信号周期は、（参照信号が周期的に送信されることを前提として）参照信号の送信周期を示すために使用され、参照信号構成インデックスは、参照信号構成情報のロケーションを示すために使用される。
【０１４８】
オプションの設計では、第1構成情報は少なくとも参照信号送信時刻を含み、参照信号送信時刻は、アクセスネットワーク装置が第1参照信号を送信する送信時刻を示すために使用される。この設計では、端末装置は、参照信号送信時刻にしたがって第1参照信号を検出できる。
【０１４９】
オプションで、参照信号送信時刻は、アクセスネットワーク装置が第1参照信号を送信する時間とアクセスネットワーク装置が起動コマンドを送信する時刻との間の時間差であってもよい。このようにして、端末装置は、起動コマンドの受信時刻にしたがって第1参照信号の送信時刻を決定し、その後、対応する測定を実行することができる。例えば、参照信号送信時刻は、起動コマンドの送信時刻に対する第1参照信号の送信時刻のサブフレームオフセット値である。値が2の場合、第1参照信号の送信時刻が、起動コマンドの送信時刻からサブフレーム2つ分後であることを示す。
【０１５０】
オプションで、参照信号送信時刻は、代替的に、アクセスネットワーク装置が第1参照信号を送信する絶対時刻、例えば第1参照信号のサブフレームまたはフレームの番号であってもよい。端末装置は、送信時刻にしたがって参照信号を受信および測定してもよい。これは、本明細書では特に限定されない。例えば、参照信号送信時刻は、アクセスネットワーク装置が第1参照信号を送信する無線フレームのフレーム番号および／またはサブフレーム番号である。
【０１５１】
例えば、第1構成情報が第1参照信号の時間ドメインリソースロケーションおよび／または周波数ドメインリソースロケーションをさらに含む場合、第1参照信号の時間ドメインリソースロケーションおよび／または周波数ドメインリソースロケーションは、アクセスネットワーク装置が第1参照信号を送信する時間ドメインリソースロケーションおよび／または周波数ドメインリソースロケーションである。端末装置は、第1参照信号の送信時刻および時間ドメインリソースロケーションおよび／または周波数ドメインリソースロケーションにしたがって参照信号を測定してもよい。第1構成情報が、第1参照信号の時間ドメインリソースロケーションおよび／または周波数ドメインリソースロケーションを含まない場合、端末装置は、従来技術、例えば、ブラインド検出方法におけるのと同様の検出方法で、参照信号送信時刻にしたがって、参照信号を受信してもよい。これは、本明細書では特に限定されない。
【０１５２】
オプションで、時間ドメインリソースロケーションは、シンボルロケーション、例えば、OFDMシンボルのロケーションであってもよく、および／または周波数ドメインリソースロケーションは、キャリアまたはサブキャリアの量および／またはキャリアまたはサブキャリアのロケーションであってもよい。
【０１５３】
別の例では、第1参照信号が周期的な参照信号である場合、第1構成情報は参照信号周期をさらに含むため、端末装置が、参照信号送信時刻および参照信号送信周期にしたがって、第1参照信号の送信周期を取得し、周期的に送信される第1参照信号を測定できる。さらに、第1構成情報は、参照信号の時間ドメインリソースロケーションおよび／または周波数ドメインリソースロケーションをさらに含んでもよい。
【０１５４】
さらに別の例では、第1参照信号がCSI−RS等の追加の参照信号である場合、第1構成情報は参照信号構成インデックスを含んでもよい。参照信号構成インデックスは、参照信号構成情報のロケーションを示すために使用される。参照信号構成インデックスは、参照信号構成情報に対応する。言い換えれば、各参照信号構成インデックスは、参照信号構成情報の1つのグループに対応する。例えば、参照信号構成インデックス1は、参照信号の第1送信時刻、第1時間ドメインリソースロケーション、第1周波数ドメインリソースロケーション、および第1周期のうちの1つ以上に対応し、参照信号構成インデックス2は、参照信号の第2送信時刻、第2時間ドメインリソースロケーション、第2周波数ドメインリソースロケーション、および第2周期のうちの1つ以上に対応する。参照信号構成インデックスと参照信号構成情報との対応は、端末装置に事前に通知される。特定の通知方法は、共通シグナリングまたは専用シグナリングである。これは、本明細書では特に限定されない。第1構成情報は、参照信号構成インデックスを含むため、第1構成情報を送信するためのシグナリング負荷を低減することができる。ここで、第1構成情報は参照信号構成インデックスのみを含んでもよく、端末装置は、受信した参照信号構成インデックスにしたがって第1参照信号の構成情報を取得し、第1参照信号を受信および測定することに留意されたい。
【０１５５】
別のオプションの設計では、第1構成情報は少なくとも参照信号送信指示を含み、参照信号送信指示は、アクセスネットワーク装置が第1参照信号の送信を示すために使用される。この設計では、端末装置は、従来技術と同様の検出方法、例えばブラインド検出方法で、少なくとも送信指示にしたがって第1参照信号を受信および測定してもよい。
【０１５６】
オプションで、第1構成情報は参照信号送信指示のみを含み、端末装置はブラインド検出方法で第1参照信号を検出および測定する。本明細書におけるブラインド検出は、従来技術におけるブラインド検出であり得る。第1参照信号が同期信号である例が使用される。端末装置は、予め定められた同期信号シーケンスにしたがって同期信号の検出を開始してもよい。端末装置は、同期信号が検出されたと判断すると、同期信号を測定する。ここで言及される「同期信号を検出する」方法は、従来技術における同期信号を検出する方法と同じであってもよい。例えば、予め定められた同期信号シーケンスおよび受信シーケンスにしたがって相関処理を実行し、相関結果のピーク値にしたがって、同期信号が検出されたと判断される。
【０１５７】
オプションで、第1構成情報は、参照信号送信時刻、参照信号周期、参照信号時間ドメインリソースロケーション、参照信号周波数ドメインリソースロケーション、および参照信号構成インデックスのうちの1つ以上をさらに含む。
【０１５８】
さらに別のオプションの設計では、第1構成情報は第1部分および第2部分を含む。第1部分は、参照信号送信指示、参照信号送信時刻、参照信号周期、参照信号時間ドメインリソースロケーション、参照信号周波数ドメインリソースロケーション、および参照信号構成インデックスのうちの1つ以上を含む。第2部分は、参照信号送信指示、参照信号送信時刻、参照信号周期、参照信号時間ドメインリソースロケーション、参照信号周波数ドメインリソースロケーション、および参照信号構成インデックスのうちの1つ以上を含む。ただし、第1部分に含まれる内容と第2部分に含まれる内容は重複しない。
【０１５９】
例えば、第1部分は、参照信号送信指示を含み、アクセスネットワーク装置は、第1部分および起動コマンドを同時に送信する。第2部分は、参照信号送信時刻、参照信号周期、参照信号時間ドメインリソースロケーション、参照信号周波数ドメインリソースロケーション、および参照信号構成インデックスのうちの1つ以上を含み、アクセスネットワーク装置は、起動コマンドの前に第2部分を送信する。この設計では、端末装置は最初に第1構成情報の第2部分を取得し、参照信号送信時刻、参照信号周期、参照信号時間ドメインリソースロケーション、参照信号周波数ドメインリソースロケーション、および参照信号の参照信号構成インデックスのうちの1つ以上を決定し、起動コマンドと同時に送信される参照信号送信指示にしたがって、アクセスネットワーク装置が第1参照信号を送信すること、および以前に受信した第1構成情報の第2部分にしたがって第1参照信号を受信および測定することを決定する。
【０１６０】
別の例では、第1部分は、参照信号送信時刻を含み、アクセスネットワーク装置は、第1部分および起動コマンドを同時に送信する。第2部分は、参照信号周期、参照信号時間ドメインリソースロケーション、参照信号周波数ドメインリソースロケーション、および参照信号構成インデックスのうちの1つ以上を含み、アクセスネットワーク装置は、起動コマンドの前に第2部分を送信する。この設計では、端末装置は最初に第1構成情報の第2部分を取得し、参照信号周期、参照信号時間ドメインリソースロケーション、参照信号周波数ドメインリソースロケーション、および参照信号構成インデックスのうちの1つ以上を決定し、起動コマンドと同時に送信される参照信号送信時刻にしたがって、アクセスネットワーク装置が第1参照信号を送信すること、および以前に受信した第1構成情報の第2部分にしたがって第1参照信号を受信および測定することを決定する。
【０１６１】
さらに、NRシステムではビームフォーミング技術が使用され、1つのセルが複数のビームに対応する場合がある。アクセスネットワーク装置が二次セルを起動する必要があるとき、参照信号ブロックは、二次セルに対応する複数のビームで別々に送信される必要がある。以下は、第1参照信号が同期信号である例を使用して、図4を参照して本発明の第2実装形態をさらに説明する。以下の説明は、本発明の第1実装形態における第1参照信号の送信に関連する内容にも適用可能である。違いは、本発明の第1実装形態では、参照信号の一時的な送信は言及されておらず、第1構成情報を追加で通知する必要はなく、第2構成情報の送信のみが言及されているという点にある。
【０１６２】
起動される二次セルは複数のビームに対応する場合があり、アクセスネットワーク装置は、二次セルを起動するために、複数のビームの少なくとも1つで参照信号を送信する必要がある。ここで、アクセスネットワーク装置は、二次セルに対応するすべてのビームで参照信号を送信するため、端末装置が測定を実行するか、または参照信号を送信するビームの一部を決定できることに留意されたい。参照信号が送信されるビームを決定するために、オプションで、アクセスネットワーク装置は、一次セルまたは起動状態の別の二次セルにあるビームであって、端末装置にサービスを提供するビームのロケーションにしたがって端末装置のおおよその地理的ロケーションを推定して、二次セルに対応する複数のビームのうち少なくとも1つのビームを決定してもよい。決定された少なくとも1つのビームのロケーションは、端末装置の推定されたロケーションに近い。あるいは、アクセスネットワーク装置は、別の方法で測定されるビームを選択してもよい。これは、本明細書では特に限定されない。
【０１６３】
オプションの設計では、ステップ302で、第1参照信号は同期信号であり、同期信号は少なくとも1つの同期信号ブロックを含み、アクセスネットワーク装置によって端末装置に送信される第1構成情報は、少なくとも1つの同期信号ブロックの構成情報を含む。各同期信号ブロックの構成情報は、対応するビームでアクセスネットワーク装置によって送信された同期信号ブロックの構成情報を示すために使用される。
【０１６４】
さらに、ステップ303において、アクセスネットワーク装置は、第1構成情報にしたがって端末装置に、起動される二次セルに対応する少なくとも1つのビーム上で、対応する同期信号ブロックを送信する。同様に、ステップ304で、端末装置は、検出された少なくとも1つの同期信号ブロックを測定して、対応するチャネル測定結果を取得する。ステップ305において、端末装置は、すべての検出された同期信号ブロックのチャネル測定結果をアクセスネットワーク装置に送信してもよく、または良好なチャネル品質を示すいくつかのチャネル測定結果をフィードバックしてもよい。例えば、最良のチャネル品質を示す測定結果のみがフィードバックされてもよいため、アクセスネットワーク装置は、ビームロケーションまたは端末装置のおおよその地理的方向を判断できる。以下では、ステップ305についてさらに説明する。
【０１６５】
さらに、オプションで、本発明の第1および第2実装形態で、ステップ304で、端末装置が第1構成情報にしたがって第1参照信号を測定することは、具体的には、端末装置が、第1参照信号の信号品質を測定することを含む。
【０１６６】
オプションで、信号品質測定結果は、参照信号受信電力（Reference Signal Receiving Power、略してRSRP）、参照信号強度インジケータ（Reference Signal Strength Indicator、略してRSSI）、参照信号受信品質（Reference Signal Receiving Quality、略してRSRQ）、および信号対干渉および雑音比（Signal−to−Interference plus Noise Ratio、略してSINR）のうちの1つ以上を含む。あるいは、信号品質測定結果は、従来技術における信号品質を測定するための他の情報であってもよい。これは、本明細書では特に限定されない。
【０１６７】
さらに、オプションで、本実施形態の第1および第2実装形態では、ステップ305で、端末装置は、以下の送信方法を含むがこれに限定されない方法で測定結果をアクセスネットワーク装置に送信する。
【０１６８】
第1実装形態では、端末装置は、事前設定された報告時刻にしたがって、報告時刻になると測定結果をアクセスネットワーク装置に送信する。事前設定された報告時刻は、アクセスネットワーク装置によって端末装置用に事前構成されてもよく、プロトコルもしくは標準で事前に指定されてもよく、または別の方法で、端末装置に通知されてもよい。さらに、報告時刻は周期的に構成されても、動的に構成されてもよい。これはここでは限定されない。オプションで、端末はさらに、測定された第1参照信号または参照信号ブロックと測定結果の両方をアクセスネットワーク装置に送信してもよい。
【０１６９】
第2実装形態では、チャネル測定結果が指定された閾値よりも大きいと判断すると、端末装置は測定結果をアクセスネットワーク装置に送信する。指定された閾値は、実際の要求にしたがって決定されてもよいし、無線システムのイベントにしたがって決定されてもよい。これはここでは限定されない。
【０１７０】
さらに、前述の2つの実装形態は、組み合わせて使用できる。
【０１７１】
本発明の実施形態で提供される解決策は、上記で、主にネットワーク要素間の相互作用の観点から説明されている。前述の機能を実装するために、端末装置およびアクセスネットワーク装置等のネットワーク要素は、各機能を実行するための対応するハードウェア構造および／またはソフトウェアモジュールを含むことが理解できる。当業者は、本明細書に開示された実施形態で説明された例と組み合わせて、部およびアルゴリズムステップが、本発明のハードウェアまたはハードウェアとコンピュータソフトウェアとの組み合わせによって実装され得ることを容易に認識するはずである。機能が、ハードウェアによって実行されるか、コンピュータソフトウェアによって駆動されるハードウェアによって実行されるかは、特定のアプリケーションと、技術解決策の設計上の制約とに依存する。当業者は、異なる方法を使用して、特定のアプリケーションごとに説明された機能を実装することができるが、その実装形態が本発明の範囲を超えると考えるべきではない。
【０１７２】
図6は、一実施形態によるアクセスネットワーク装置の概略構造図である。アクセスネットワーク装置600は、プロセッサ601および伝送器602を含む。アクセスネットワーク装置は、実際の要求にしたがってメモリ604をさらに含む。
【０１７３】
プロセッサ601は、第1参照信号の第1構成情報を決定するように構成される。
【０１７４】
伝送器602は、起動コマンドを端末装置に送信するように構成され、起動コマンドは、二次セルを起動することを示すために使用される。
【０１７５】
伝送器602は、プロセッサによって決定された第1参照信号の第1構成情報を端末装置に送信するようにさらに構成される。
【０１７６】
伝送器602は、第1構成情報にしたがって第1参照信号を端末装置に送信するようにさらに構成され、この第1参照信号は、二次セルのチャネル測定結果を取得するために使用される。
【０１７７】
オプションで、アクセスネットワーク装置は、受信器603をさらに含み、受信器603は、端末装置からチャネル測定結果を受信するように構成される。
【０１７８】
具体的には、第1参照信号は時間ドメインで端末装置の利用可能な第2参照信号の前に配置され、かつ第2参照信号は第2構成情報を使用して構成され、あるいは、第1参照信号は、時間ドメインで端末装置の2つの隣接する第2参照信号の間に配置され、かつ2つの隣接する第2参照信号は、同じ第2構成情報を使用して構成される。オプションで、第2参照信号は周期的である。
【０１７９】
オプションの設計では、第1参照信号は同期信号またはチャネル状態情報参照信号である。例えば、端末装置が二次セルと同期していないとプロセッサが判断すると、参照信号は同期信号であり、端末装置が二次セルと同期しているとプロセッサが判断すると、参照信号はチャネル状態情報参照信号である。
【０１８０】
オプションの設計では、第1構成情報が起動コマンドに含まれ、または起動コマンドの前に第1構成情報が送信され、または、第1構成情報の第1部分が起動コマンドに含まれ、かつ第1構成情報の第2部分が起動コマンドの前に送信される。
【０１８１】
オプションの設計では、伝送器が、第1構成情報にしたがって端末装置に第1参照信号を送信する前に、
端末装置の利用可能な第2参照信号と現在時刻との差が第1閾値を超えるとプロセッサが判断すると、プロセッサが、第1参照信号が端末装置に送信されると判断し、第1閾値は事前設定されている。
【０１８２】
さらに、第1構成情報は、以下の情報、すなわち
参照信号送信指示、
参照信号送信時刻、
参照信号周期、
参照信号時間ドメインリソースロケーション、
参照信号周波数ドメインリソースロケーション、および
参照信号構成インデックス
のうち、少なくとも1つを含み、
参照信号構成インデックスは、参照信号構成情報のロケーションを示すために使用される。
【０１８３】
第1参照信号の参照信号送信時刻は、伝送器が第1参照信号を送信する時刻と伝送器が起動コマンドを送信する時刻との間の相対的時間差であるか、または伝送器が第1参照信号を送信する時刻である。
【０１８４】
アクセスネットワーク装置600によるリソーススケジューリング処理を実行する特定の実装形態については、本発明の前述の実施形態で提供される二次セル起動方法の説明を参照することに留意されたい。本発明の本実施形態におけるアクセスネットワーク装置600および図4に対応する二次セル起動方法は同じ概念にしたがったものであり、アクセスネットワーク装置600によってもたらされる技術的効果は、前述のリソーススケジューリング方法によってもたらされるものと同じである。本実施形態のアクセスネットワーク装置に含まれるプロセッサ601、伝送器602、受信器603、およびメモリ604の特定の機能、およびその特徴、用語、および実装の詳細は、図3に対応する方法の実施形態におけるアクセスネットワーク装置の機能に対応する。特定の内容については、本発明の図3に対応する方法の実施形態の説明を参照されたい。詳細はここでは再度説明しない。
【０１８５】
前述の実施形態では、アクセスネットワーク装置は、ソフトウェア、ハードウェア、ファームウェア、またはそれらの任意の組み合わせによって完全にまたは部分的に実装され得ることに留意されたい。
【０１８６】
オプションの方法で、前述の実施形態の対応するコンポーネントは、対応するハードウェアによって実装されてもよく、または対応するソフトウェアを実行することによって対応するハードウェアによって実装されてもよい。例えば、受信器604は、前述の受信機能を有するハードウェア、例えば、受信機能および送信機能を統合するトランシーバー、または受信機能のみを実装する受信器、または前述の機能を実装するための対応するコンピュータプログラムを実行できる汎用プロセッサもしくは別のハードウェア装置であってもよく、または対応する機能を実装するソフトウェアモジュールまたは機能部、例えば受信部であってもよい。別の例として、プロセッサ601は、プロセッサ機能を有するハードウェア、例えば、特定の機能を有するプロセッサもしくは汎用プロセッサであってもよく、または前述の機能を実装するための対応するコンピュータプログラムを実行できる汎用プロセッサもしくは別のハードウェア装置であってもよく、または対応する機能を実装するソフトウェアモジュールまたは機能部、例えば処理部であってもよい。さらに別の例では、伝送器602は、前述の送信機能を有するハードウェア、例えば、受信機能および送信機能を統合するトランシーバー、または送信機能のみを実装する伝送器、または前述の機能を実装するための対応するコンピュータプログラムを実行できる汎用プロセッサもしくは別のハードウェア装置であってもよく、または対応する機能を実装するソフトウェアモジュールまたは機能部、例えば送信部であってもよい。
【０１８７】
図7は、本発明の一実施形態による別のアクセスネットワーク装置の概略構造図である。アクセスネットワーク装置は、処理部701および送信部702を含む。アクセスネットワーク装置は、実際の要求にしたがって記憶部704をさらに含む。
【０１８８】
処理部701は、第1参照信号の第1構成情報を決定するように構成される。
【０１８９】
送信部702は、起動コマンドを端末装置に送信するように構成され、起動コマンドは、二次セルを起動することを示すために使用される。
【０１９０】
送信部702は、プロセッサによって決定された第1参照信号の第1構成情報を端末装置に送信するようにさらに構成される。
【０１９１】
送信部702は、第1構成情報にしたがって第1参照信号を端末装置に送信するようにさらに構成され、この第1参照信号は、二次セルのチャネル測定結果を取得するために使用される。
【０１９２】
オプションで、アクセスネットワーク装置は、受信部703をさらに含み、受信部703は、端末装置からチャネル測定結果を受信するように構成される。
【０１９３】
アクセスネットワーク装置700による二次セル起動方法を実行する特定の実装形態については、本発明の前述の実施形態で提供される二次セル起動方法の説明を参照することに留意されたい。本発明の本実施形態におけるアクセスネットワーク装置700および図3に対応する二次セル起動方法は同じ概念にしたがったものであり、アクセスネットワーク装置700によってもたらされる技術的効果は、前述のリソーススケジューリング方法によってもたらされるものと同じである。本実施形態のアクセスネットワーク装置に含まれる処理部701、送信部702、受信部703、および記憶部704の特定の機能、およびその特徴、用語、および実装の詳細は、図3に対応する方法の実施形態におけるアクセスネットワーク装置の機能に対応する。特定の内容については、本発明の図3に対応する方法の実施形態の説明を参照されたい。詳細はここでは再度説明しない。
【０１９４】
別のオプションの方法では、アクセスネットワーク装置がソフトウェアによって実装される場合、アクセスネットワーク装置は、コンピュータプログラム製品の形式で完全にまたは部分的に実装され得る。コンピュータプログラム製品には、1つ以上のコンピュータ命令が含まれている。コンピュータプログラム命令がコンピュータにロードされ、または実行されると、本発明の実施形態における手順または機能の一部またはすべてが実装される。コンピュータは、汎用コンピュータ、専用コンピュータ、コンピュータネットワーク、または別のプログラム可能な装置であってもよい。コンピュータ命令は、コンピュータ可読記憶媒体に記憶されてもよく、またはあるコンピュータ可読記憶媒体から別のコンピュータ可読記憶媒体に伝送されてもよい。例えば、コンピュータ命令は、有線（例えば、同軸ケーブル、光ファイバー、またはデジタル加入者線（DSL））または無線（例えば、赤外線、電波、マイクロ波）の方法で、あるウェブサイト、コンピュータ、サーバー、またはデータセンターから別のウェブサイト、コンピュータ、サーバー、またはデータセンターに伝送されてもよい。コンピュータ可読記憶媒体は、コンピュータによってアクセス可能な任意の使用可能な媒体、または1つ以上の使用可能な媒体を統合するサーバーもしくはデータセンター等のデータ記憶装置であってもよい。使用可能な媒体は、磁気媒体（例えば、フロッピーディスク、ハードディスク、または磁気テープ）、光学媒体（例えば、DVD）、半導体媒体（例えば、ソリッドステートディスクSolid State Disk（SSD））であってもよい。
【０１９５】
図8は、一実施形態による通信装置の概略構造図である。通信装置800は、アクセスネットワーク装置と通信して対応する機能を実装するように構成することができる端末装置、または別のハードウェア装置、機能モジュール、チップ等とすることができる。通信装置は、プロセッサ801および受信器802を含む。通信装置は、実際の要求にしたがってメモリ804をさらに含む。
【０１９６】
受信器802は、アクセスネットワーク装置から起動コマンドを受信するように構成され、起動コマンドは、二次セルを起動することを示すために使用される。
【０１９７】
受信器802は、アクセスネットワーク装置から第1参照信号の第1構成情報を受信し、第1構成情報にしたがって第1参照信号を受信するようにさらに構成される。
【０１９８】
プロセッサ801は、第1参照信号にしたがって二次セルのチャネル測定結果を取得するように構成される。
【０１９９】
オプションで、通信装置は、伝送器803をさらに含み、伝送器は、チャネル測定結果をアクセスネットワーク装置に送信するように構成される。
【０２００】
具体的には、第1参照信号は時間ドメインで端末装置の利用可能な第2参照信号の前に配置され、かつ第2参照信号は第2構成情報を使用して構成され、あるいは、第1参照信号は、時間ドメインで端末装置の2つの隣接する第2参照信号の間に配置され、かつ2つの隣接する第2参照信号は、同じ第2構成情報を使用して構成される。オプションで、第2参照信号は周期的である。
【０２０１】
オプションの設計では、第1参照信号は同期信号またはチャネル状態情報参照信号である。例えば、端末装置が二次セルと同期していないとプロセッサが判断すると、参照信号は同期信号であり、端末装置が二次セルと同期しているとプロセッサが判断すると、参照信号はチャネル状態情報参照信号である。
【０２０２】
オプションの設計では、第1構成情報が起動コマンドに含まれ、または起動コマンドの前に第1構成情報が送信され、または、第1構成情報の第1部分が起動コマンドに含まれ、かつ第1構成情報の第2部分が起動コマンドの前に送信される。
【０２０３】
さらに、第1構成情報は、以下の情報、すなわち
参照信号送信指示、
参照信号送信時刻、
参照信号周期、
参照信号時間ドメインリソースロケーション、
参照信号周波数ドメインリソースロケーション、および
参照信号構成インデックス
のうち、少なくとも1つを含み、
参照信号構成インデックスは、参照信号構成情報のロケーションを示すために使用される。
【０２０４】
第1参照信号の参照信号送信時刻は、アクセスネットワーク装置が第1参照信号を送信する時刻とアクセスネットワーク装置が起動コマンドを送信する時刻との間の相対的時間差であるか、またはアクセスネットワーク装置が第1参照信号を送信する時刻である。
【０２０５】
通信装置800による二次セル起動方法を実行する特定の実装形態については、本発明の前述の実施形態で提供される二次セル起動方法の説明を参照することに留意されたい。本発明の本実施形態における通信装置800および図4に対応する二次セル起動方法は同じ概念にしたがったものであり、通信装置800によってもたらされる技術的効果は、前述のリソーススケジューリング方法によってもたらされるものと同じである。本実施形態のアクセスネットワーク装置に含まれるプロセッサ801、受信器802、伝送器803、およびメモリ804の特定の機能、およびその特徴、用語、および実装の詳細は、図3に対応する方法の実施形態における端末装置の機能に対応する。特定の内容については、本発明の図3に対応する方法の実施形態の説明を参照されたい。詳細はここでは再度説明しない。
【０２０６】
前述の実施形態では、端末装置は、ソフトウェア、ハードウェア、ファームウェア、またはそれらの任意の組み合わせによって完全にまたは部分的に実装され得ることに留意されたい。
【０２０７】
オプションの方法で、前述の実施形態の対応するコンポーネントは、対応するハードウェアによって実装されてもよく、または対応するソフトウェアを実行することによって対応するハードウェアによって実装されてもよい。例えば、受信器802は、前述の受信機能を有するハードウェア、例えば、受信機能および送信機能を統合するトランシーバー、または受信機能のみを実装する受信器、または前述の機能を実装するための対応するコンピュータプログラムを実行できる汎用プロセッサもしくは別のハードウェア装置であってもよく、または対応する機能を実装するソフトウェアモジュールまたは機能部、例えば受信部であってもよい。別の例として、プロセッサ801は、プロセッサ機能を有するハードウェア、例えば、特定の機能を有するプロセッサもしくは汎用プロセッサであってもよく、または前述の機能を実装するための対応するコンピュータプログラムを実行できる汎用プロセッサもしくは別のハードウェア装置であってもよく、または対応する機能を実装するソフトウェアモジュールまたは機能部、例えば処理部であってもよい。さらに別の例では、伝送器803は、前述の送信機能を有するハードウェア、例えば、受信機能および送信機能を統合するトランシーバー、または送信機能のみを実装する伝送器、または前述の機能を実装するための対応するコンピュータプログラムを実行できる汎用プロセッサもしくは別のハードウェア装置であってもよく、または対応する機能を実装するソフトウェアモジュールまたは機能部、例えば送信部であってもよい。
【０２０８】
図9は、本発明の一実施形態による別の通信装置900の概略構造図である。通信装置は、処理部901および受信部902を含む。アクセスネットワーク装置は、実際の要求にしたがって記憶部904をさらに含む。
【０２０９】
受信部902は、アクセスネットワーク装置から起動コマンドを受信するように構成され、起動コマンドは、二次セルを起動することを示すために使用される。
【０２１０】
受信部902は、アクセスネットワーク装置から第1参照信号の第1構成情報を受信し、第1構成情報にしたがって第1参照信号を受信するようにさらに構成される。
【０２１１】
処理部901は、第1参照信号にしたがって二次セルのチャネル測定結果を取得するように構成される。
【０２１２】
オプションで、通信装置は、送信部903をさらに含み、送信部903は、チャネル測定結果をアクセスネットワーク装置に送信するように構成される。
【０２１３】
具体的には、第1参照信号は時間ドメインで端末装置の利用可能な第2参照信号の前に配置され、かつ第2参照信号は第2構成情報を使用して構成され、あるいは、第1参照信号は、時間ドメインで端末装置の2つの隣接する第2参照信号の間に配置され、かつ2つの隣接する第2参照信号は、同じ第2構成情報を使用して構成される。オプションで、第2参照信号は周期的である。
【０２１４】
通信装置900による二次セル起動方法を実行する特定の実装形態については、本発明の前述の実施形態で提供される二次セル起動方法の説明を参照することに留意されたい。本発明の本実施形態における通信装置900および図4に対応する二次セル起動方法は同じ概念にしたがったものであり、通信装置900によってもたらされる技術的効果は、前述のリソーススケジューリング方法によってもたらされるものと同じである。本実施形態の通信装置に含まれる処理部901、受信部902、送信部903、および記憶部904の特定の機能、およびその特徴、用語、および実装の詳細は、図3に対応する方法の実施形態における端末装置の機能に対応する。特定の内容については、本発明の図3に対応する方法の実施形態の説明を参照されたい。詳細はここでは再度説明しない。
【０２１５】
別のオプションの方法では、通信装置がソフトウェアによって実装される場合、通信装置は、コンピュータプログラム製品の形式で完全にまたは部分的に実装され得る。コンピュータプログラム製品には、1つ以上のコンピュータ命令が含まれている。コンピュータプログラム命令がコンピュータにロードされ、または実行されると、本発明の実施形態における手順または機能の一部またはすべてが実装される。コンピュータは、汎用コンピュータ、専用コンピュータ、コンピュータネットワーク、または別のプログラム可能な装置であってもよい。コンピュータ命令は、コンピュータ可読記憶媒体に記憶されてもよく、またはあるコンピュータ可読記憶媒体から別のコンピュータ可読記憶媒体に伝送されてもよい。例えば、コンピュータ命令は、有線（例えば、同軸ケーブル、光ファイバー、またはデジタル加入者線（DSL））または無線（例えば、赤外線、電波、マイクロ波）の方法で、あるウェブサイト、コンピュータ、サーバー、またはデータセンターから別のウェブサイト、コンピュータ、サーバー、またはデータセンターに伝送されてもよい。コンピュータ可読記憶媒体は、コンピュータによってアクセス可能な任意の使用可能な媒体、または1つ以上の使用可能な媒体を統合するサーバーもしくはデータセンター等のデータ記憶装置であってもよい。使用可能な媒体は、磁気媒体（例えば、フロッピーディスク、ハードディスク、または磁気テープ）、光学媒体（例えば、DVD）、半導体媒体（例えば、ソリッドステートディスクSolid State Disk（SSD））であってもよい。
【０２１６】
本発明の実施形態で提供される二次セル起動方法を実行するように構成されたアクセスネットワーク装置または通信装置に含まれるプロセッサは、中央処理装置（CPU）、汎用プロセッサ、デジタル信号プロセッサ（DSP）、特定用途向け集積回路（ASIC）、フィールドプログラマブルゲートアレイ（FPGA）または別のプログラマブル論理装置、トランジスタ論理装置、ハードウェアコンポーネント、またはそれらの任意の組み合わせであってもよいことに留意されたい。プロセッサは、本発明で開示される内容を参照して説明される様々な例示的な論理ブロック、モジュール、および回路を実装または実行することができる。あるいは、プロセッサは、コンピューティング機能を実装するプロセッサの組み合わせ、例えば、1つ以上のマイクロプロセッサの組み合わせ、またはDSPとマイクロプロセッサの組み合わせであってもよい。
【０２１７】
本発明の実施形態と組み合わせて説明される方法またはアルゴリズムのステップは、ハードウェアによって実装されてもよく、ソフトウェア命令を実行することによってプロセッサによって実装されてもよい。ソフトウェア命令は、対応するソフトウェアモジュールを含んでもよい。ソフトウェアモジュールは、RAMメモリ、フラッシュメモリ、ROMメモリ、EPROMメモリ、EEPROMメモリ、レジスタ、ハードディスク、リムーバブル磁気ディスク、CD−ROM、または当該技術分野で知られている任意の他の形式の記憶媒体に保存され得る。例示的な記憶媒体は、プロセッサに結合されているため、プロセッサは、記憶媒体から情報を読み取り、記憶媒体に情報を書き込むことができる。もちろん、記憶媒体はプロセッサのコンポーネントであってもよい。プロセッサおよび記憶媒体は、ASICに配置されてもよい。さらに、ASICは端末装置に配置されてもよい。もちろん、プロセッサおよび記憶媒体は、別個のコンポーネントとして端末装置に存在してもよい。
【０２１８】
図6から図9は、アクセスネットワーク装置または通信装置の単純化された設計を示すにすぎないことが理解されるだろう。実際の用途では、アクセスネットワーク装置または通信装置は、任意の数の伝送器、受信器、プロセッサ、コントローラ、メモリ、通信部等を含んでもよい。
【０２１９】
本発明の実施形態はさらに、本発明の実施形態を実行するための少なくとも1つのアクセスネットワーク装置と少なくとも1つの通信装置とを含む通信システムを提供する。
【０２２０】
明細書全体で言及される「実施形態」、「一実施形態」、または「本発明の本実施形態」は、実施形態に関連する特定の特徴、構造、または特性が、本発明の少なくとも1つの実施形態に含まれることを意味することを理解されたい。したがって、本明細書を通して現れる「実施形態において」、「一実施形態において」、または「本発明の本実施形態において」は、必ずしも同じ実施形態を指すものではない。加えて、これらの特定の特徴、構造、または特性は、1つ以上の実施形態において、任意の適切な方法で組み合わせられ得る。
【０２２１】
前述のプロセスのシーケンス番号は、本発明の実施形態における実行順序を意味しないことを理解されたい。プロセスの実行順序は、プロセスの機能および内部論理にしたがって決定されるべきであり、本発明の実施形態の実装プロセスに対するいかなる制限としても解釈されるべきではない。
【０２２２】
本発明の目的、技術的解決策、および有益な効果は、前述の特定の実装形態においてさらに詳細に説明される。前述の説明は、単に本発明の特定の実装形態であるが、本発明の保護範囲を限定することを意図するものではないことを理解されたい。本発明の技術的解決策にしたがって行われた修正、同等の置換、または改善は、本発明の保護範囲内にあるものである。
【０２２３】
本発明の実施形態で提供される解決策は、上記で、主にネットワーク要素間の相互作用の観点から説明されている。前述の機能を実装するために、通信装置および無線アクセスネットワーク装置等のネットワーク要素は、各機能を実行するための対応するハードウェア構造および／またはソフトウェアモジュールを含むことが理解できる。当業者は、本明細書に開示された実施形態で説明された例と組み合わせて、部およびアルゴリズムステップが、本発明のハードウェアまたはハードウェアとコンピュータソフトウェアの組み合わせによって実装され得ることを容易に認識するはずである。機能が、ハードウェアによって実行されるか、コンピュータソフトウェアによって駆動されるハードウェアによって実行されるかは、特定のアプリケーションと、技術解決策の設計上の制約とに依存する。当業者は、異なる方法を使用して、特定のアプリケーションごとに説明された機能を実装することができるが、その実装形態が本発明の範囲を超えると考えるべきではない。
【０２２４】
前述の説明は、単に本発明の特定の実装形態であるが、本発明の保護範囲を限定することを意図するものではない。本発明で開示された技術的範囲内で当業者によって容易に理解されるあらゆる変形または置換は、本発明の保護範囲内にあるものとする。したがって、本発明の保護範囲は、特許請求の範囲の保護範囲にしたがうものとする。
【符号の説明】
【０２２５】
12  ネットワーク装置
100  通信システム
600  アクセスネットワーク装置
601  プロセッサ
602  伝送器
603  受信器
604  メモリ
700  アクセスネットワーク装置
701  処理部
702  送信部
703  受信部
704  記憶部
800  通信装置
801  プロセッサ
802  受信器
803  伝送器
804  メモリ
900  通信装置
901  処理部
902  受信部
903  送信部
904  記憶部
【図１】
2020529800.tif 000004
【図２】
2020529800.tif 000005
【図３】
2020529800.tif 000006
【図４】
2020529800.tif 000007
【図５】
2020529800.tif 000008
【図６】
2020529800.tif 000009
【図７】
2020529800.tif 000010
【図８】
2020529800.tif 000011
【図９】
2020529800.tif 000012
【手続補正書】
【提出日】令和2年3月19日(2020.3.19)
【手続補正１】
【補正対象書類名】明細書
【補正対象項目名】００５５
【補正方法】変更
【補正の内容】
【００５５】
図1は、従来のLTEシステムにおける二次セル起動方法を示す。LTEシステムでは、1つのセルが1つのキャリアに対応し、セルの起動における技術的な処理は、キャリアの起動におけるものと同じである。LTEシステムでCSI測定に使用される参照信号は、共通の参照信号CRSである。アクセスネットワーク装置が端末装置のために二次セルを起動する必要がある場合、アクセスネットワーク装置は二次セル起動コマンドを端末装置に送信する。起動コマンドに応答して、端末装置は参照信号にしたがってチャネル測定を実行してCSIをフィードバックする。有効なCSI測定値を取得する前に、CSI測定を実行してCSIを生成するために、端末装置は、まず二次セルの同期信号にしたがって初期同期を取得し、次に二次セルの参照信号にしたがって精密同期を取得する必要がある。端末装置がサブフレームNで第1二次セル起動コマンドを受信すると、アクセスネットワーク装置と端末装置が同じ理解を有するようにするために、端末装置は、サブフレームN＋8の後に、起動される二次セルのCSIの報告を開始する。例えば、端末装置は、CSI報告周期にしたがって、サブフレームN＋4およびサブフレームN＋10でCSIを報告する必要がある。したがって、サブフレームN＋4のCSI報告ではなく、サブフレームN＋10で第1二次セルのCSI報告が搬送される。ただし、停止状態の二次セルの場合、端末装置が有効なCSIを取得できる時刻は、停止された二次セルを端末装置が追跡する状態、例えば端末装置が二次セルと同期しているか否か、または端末装置が特定の時間内に二次セルを測定するか否かによって異なる場合がある。端末装置が、二次セルと同期していない場合、または特定の時間内に二次セルを測定しない場合、端末装置は、サブフレームN＋8の後に初めてサブフレームN＋10でCSIを報告するときに、有効なCSI測定値を取得することができない。この場合、端末装置が有効な測定値を取得していないことをアクセスネットワーク装置に通知するために、特別な測定値をサブフレームN＋10で報告されるCSIに入力する必要がある。端末装置は、同期状態におけるCRSを受信し測定して、有効なCSI測定値を取得するまでは、通常のCSI測定値の入力を開始しない。ただし、端末装置は、サブフレームN＋24よりは後ではないサブフレ
ームで有効なCSIの報告を開始し（例えば、端末装置が最近二次セルを測定した、または端末装置が二次セルと同期している）、またはサブフレームN＋34よりは後ではないサブフレームで有効なCSIの報告を開始する（例えば、端末装置が最近二次セルを測定していない、または端末装置が二次セルと同期していない）。例えば、端末装置が起動コマンドを受信する前のある時間内に端末装置が二次セルを測定した場合、端末装置はサブフレームN＋24の前に有効なCSIを報告する必要がある。端末装置が起動コマンドを受信する前のある時間内に端末装置が二次セルを測定しなかった場合、端末装置はサブフレームN＋34の前に有効なCSIを報告する必要がある。
【手続補正２】
【補正対象書類名】明細書
【補正対象項目名】００８８
【補正方法】変更
【補正の内容】
【００８８】
一実装形態では、第1参照信号は同期信号である。端末装置が、起動される二次セルと同期しているか否かに関係なく、端末装置は、第1参照信号を使用して二次セルを起動してもよい。具体的には、端末装置が、起動される二次セルと同期されていない場合、端末装置は同期信号を受信して、同期および測定を実行する。端末装置が、起動される二次セルと同期されている場合、端末装置は同期信号を測定して、チャネル測定結果を取得する。
【手続補正３】
【補正対象書類名】明細書
【補正対象項目名】０１０１
【補正方法】変更
【補正の内容】
【０１０１】
このシナリオでは、二次セルが起動されたときに生じる遅延を低減し、二次セルの起動効率を向上させるために、アクセスネットワーク装置は、時点t1と時点t2との間の時点t3に一時的に、一組の第1参照信号を送信するため、端末装置は、起動コマンドに応答して、参照信号を迅速に検出し、測定結果をフィードバックできる。一時的に送信される参照信号は、第1構成情報にしたがって送信され、第1構成情報は、一時的に送信される参照信号が送信される前に端末装置に通知される必要がある。第1構成情報の内容および送信方法は、以下で詳細に説明される。オプションで、アクセスネットワーク装置は第1閾値を決定するため、アクセスネットワーク装置は、第1持続時間tが第1閾値よりも大きい場合に二次セル起動のための一組の参照信号を一時的に送信することを決定する。オプションで、第1閾値は、アクセスネットワーク装置によって自発的に決定されてもよく、標準またはプロトコルで指定されてもよく、またはアクセスネットワーク装置および端末装置によってネゴシエートされてもよい。これは、本明細書では特に限定されない。
【手続補正４】
【補正対象書類名】明細書
【補正対象項目名】０１４５
【補正方法】変更
【補正の内容】
【０１４５】
例えば、第1部分は、第1シグナリングを使用して端末装置に送信され、第2部分は、第2シグナリングを使用して端末装置に送信される。第1シグナリングのタイプは、第2シグナリングのタイプとは異なる。オプションで、第1シグナリングと第2シグナリングの送信時刻は同じでも異なっていてもよい。また、オプションで、第1シグナリングまたは第2シグナリングは、MACシグナリング、RRCシグナリング、もしくは物理層シグナリングのうちの1つであってもよく、または別のタイプのシグナリングであってもよい。
【手続補正５】
【補正対象書類名】明細書
【補正対象項目名】０１８４
【補正方法】変更
【補正の内容】
【０１８４】
アクセスネットワーク装置600によるリソーススケジューリング処理を実行する特定の実装形態については、本発明の前述の実施形態で提供される二次セル起動方法の説明を参照することに留意されたい。本発明の本実施形態におけるアクセスネットワーク装置600および図3に対応する二次セル起動方法は同じ概念にしたがったものであり、アクセスネットワーク装置600によってもたらされる技術的効果は、前述のリソーススケジューリング方法によってもたらされるものと同じである。本実施形態のアクセスネットワーク装置に含まれるプロセッサ601、伝送器602、受信器603、およびメモリ604の特定の機能、およびその特徴、用語、および実装の詳細は、図3に対応する方法の実施形態におけるアクセスネットワーク装置の機能に対応する。特定の内容については、本発明の図3に対応する方法の実施形態の説明を参照されたい。詳細はここでは再度説明しない。
【手続補正６】
【補正対象書類名】明細書
【補正対象項目名】０１９０
【補正方法】変更
【補正の内容】
【０１９０】
送信部702は、処理部によって決定された第1参照信号の第1構成情報を端末装置に送信するようにさらに構成される。
【手続補正７】
【補正対象書類名】特許請求の範囲
【補正対象項目名】全文
【補正方法】変更
【補正の内容】
【特許請求の範囲】
【請求項１】
アクセスネットワーク装置により、起動コマンドを端末装置に送信するステップであって、前記起動コマンドが二次セルの起動を示すために使用される、ステップと、
前記アクセスネットワーク装置により、第1参照信号の第1構成情報を前記端末装置に送信するステップと、
前記アクセスネットワーク装置により、前記第1構成情報にしたがって前記端末装置に前記第1参照信号を送信するステップであって、前記第1参照信号が、前記二次セルのチャネル測定結果を取得するために使用される、ステップとを含む二次セル起動方法。
【請求項２】
前記第1参照信号は、時間ドメインで、前記端末装置の利用可能な第2参照信号の前に配置され、前記第2参照信号は第2構成情報を使用して構成され、または
前記第1参照信号は、時間ドメインで、前記端末装置の2つの隣接する第2参照信号の間に配置され、前記2つの隣接する第2参照信号は、同じ第2構成情報を使用して構成される、請求項1に記載の方法。
【請求項３】
前記第2参照信号は周期的である、請求項2に記載の方法。
【請求項４】
前記第1参照信号は、同期信号またはチャネル状態情報参照信号である、請求項1から3のいずれか一項に記載の方法。
【請求項５】
前記端末装置が前記二次セルと同期していないと前記アクセスネットワーク装置が判断すると、前記参照信号は同期信号であり、または
前記端末装置が前記二次セルと同期していると前記アクセスネットワーク装置が判断すると、前記参照信号はチャネル状態情報参照信号である、請求項1から4のいずれか一項に記載の方法。
【請求項６】
前記起動コマンドが、前記第1構成情報を含み、または
前記アクセスネットワーク装置が、前記起動コマンドの前に前記第1構成情報を送信し、または
前記起動コマンドが、前記第1構成情報の第1部分を含み、かつ前記アクセスネットワーク装置が、前記起動コマンドの前に前記第1構成情報の第2部分を送信する、請求項1から5のいずれか一項に記載の方法。
【請求項７】
前記第1構成情報は、以下の情報、すなわち
参照信号送信指示、
参照信号送信時刻、
参照信号周期、
参照信号時間ドメインリソースロケーション、
参照信号周波数ドメインリソースロケーション、および
参照信号構成インデックス
のうち、少なくとも1つを含み、
前記参照信号構成インデックスは、参照信号構成情報のロケーションを示すために使用される、請求項1から6のいずれか一項に記載の方法。
【請求項８】
前記第1参照信号の前記参照信号送信時刻は、前記アクセスネットワーク装置が前記第1参照信号を送信する時刻と前記アクセスネットワーク装置が前記起動コマンドを送信する時刻との間の相対的時間差であるか、または前記アクセスネットワーク装置が前記第1参照信号を送信する時刻である、請求項7に記載の方法。
【請求項９】
前記アクセスネットワーク装置により、前記構成情報にしたがって前記端末装置に前記第1参照信号を送信する前記ステップの前に、前記方法は、
前記端末装置の前記利用可能な第2参照信号が送信される事前設定された時刻と現在時刻との差が第1閾値を超えている場合、前記アクセスネットワーク装置により、前記第1参照信号を前記端末装置に送信すると判断するステップであって、前記第1閾値が事前設定されている、ステップをさらに含む請求項1から8のいずれか一項に記載の方法。
【請求項１０】
前記方法は、前記アクセスネットワーク装置により、前記端末装置から前記チャネル測定結果を受信するステップをさらに含む請求項1から9のいずれか一項に記載の方法。
【請求項１１】
端末装置により、起動コマンドをアクセスネットワーク装置から受信するステップであって、前記起動コマンドが二次セルの起動を示すために使用される、ステップと、
前記端末装置により、第1参照信号の第1構成情報を前記アクセスネットワーク装置から受信するステップと、
前記端末装置により、前記第1構成情報にしたがって前記第1参照信号を受信し、前記第1参照信号にしたがって、前記二次セルのチャネル測定結果を取得するステップとを含む二次セル起動方法。
【請求項１２】
前記第1参照信号は、時間ドメインで、前記端末装置の利用可能な第2参照信号の前に配置され、前記第2参照信号は第2構成情報を使用して構成され、または
前記第1参照信号は、時間ドメインで、前記端末装置の2つの隣接する第2参照信号の間に配置され、前記2つの隣接する第2参照信号は、同じ第2構成情報を使用して構成される、請求項11に記載の方法。
【請求項１３】
前記第2参照信号は周期的である、請求項12に記載の方法。
【請求項１４】
前記第1参照信号は、同期信号またはチャネル状態情報参照信号である、請求項11から13のいずれか一項に記載の方法。
【請求項１５】
前記起動コマンドが、前記第1構成情報を含み、または
前記端末装置が、前記起動コマンドの前に前記第1構成情報を受信し、または
前記起動コマンドが、前記第1構成情報の第1部分を含み、かつ前記端末装置が、前記起動コマンドの前に前記第1構成情報の第2部分を受信する、請求項11から14のいずれか一項に記載の方法。
【請求項１６】
前記第1構成情報は、以下の情報、すなわち
参照信号送信指示、
参照信号送信時刻、
参照信号周期、
参照信号時間ドメインリソースロケーション、
参照信号周波数ドメインリソースロケーション、および
参照信号構成インデックス
のうち、少なくとも1つを含み、
前記参照信号構成インデックスは、参照信号構成情報のロケーションを示すために使用される、請求項11から15のいずれか一項に記載の方法。
【請求項１７】
前記第1参照信号の前記参照信号送信時刻は、前記アクセスネットワーク装置が前記第1参照信号を送信する時刻と前記アクセスネットワーク装置が前記起動コマンドを送信する時刻との間の時間差であるか、または前記アクセスネットワーク装置が前記第1参照信号を送信する時刻である、請求項16に記載の方法。
【請求項１８】
前記端末装置は、前記チャネル測定結果を前記アクセスネットワーク装置に送信する、請求項11から17のいずれか一項に記載の方法。
【請求項１９】
伝送器とプロセッサとを含む二次セルの起動装置であって、前記プロセッサが、第1参照信号の第1構成情報を決定するように構成され、
前記伝送器は、端末装置に起動コマンドを送信するように構成され、前記起動コマンドは、二次セルの起動を示すために使用され、
前記伝送器は、前記プロセッサによって決定された前記第1参照信号の前記第1構成情報を前記端末装置に送信するようにさらに構成され、
前記伝送器は、前記第1構成情報にしたがって前記第1参照信号を前記端末装置に送信するようにさらに構成され、前記第1参照信号は、前記二次セルのチャネル測定結果を取得するために使用される、装置。
【請求項２０】
前記第1参照信号は、時間ドメインで、前記端末装置の利用可能な第2参照信号の前に配置され、前記第2参照信号は第2構成情報を使用して構成され、または
前記第1参照信号は、時間ドメインで、前記端末装置の2つの隣接する第2参照信号の間に配置され、前記2つの隣接する第2参照信号は、同じ第2構成情報を使用して構成される、請求項19に記載の装置。
【請求項２１】
前記第2参照信号は周期的である、請求項20に記載の装置。
【請求項２２】
前記第1参照信号は、同期信号またはチャネル状態情報参照信号である、請求項19から21のいずれか一項に記載の装置。
【請求項２３】
前記端末装置が前記二次セルと同期していないと前記プロセッサが判断すると、前記参照信号は同期信号であり、または
前記端末装置が前記二次セルと同期していると前記プロセッサが判断すると、前記参照信号はチャネル状態情報参照信号である、請求項19から22のいずれか一項に記載の装置。
【請求項２４】
前記起動コマンドが、前記第1構成情報を含み、または
前記伝送器が、前記起動コマンドの前に前記第1構成情報を送信し、または
前記起動コマンドが、前記第1構成情報の第1部分を含み、かつ前記伝送器が、前記起動コマンドの前に前記第1構成情報の第2部分を送信する、請求項19から23のいずれか一項に記載の装置。
【請求項２５】
前記第1構成情報は、以下の情報、すなわち
参照信号送信指示、
参照信号送信時刻、
参照信号周期、
参照信号時間ドメインリソースロケーション、
参照信号周波数ドメインリソースロケーション、および
参照信号構成インデックス
のうち、少なくとも1つを含み、
前記参照信号構成インデックスは、参照信号構成情報のロケーションを示すために使用される、請求項19から24のいずれか一項に記載の装置。
【請求項２６】
前記第1参照信号の前記参照信号送信時刻は、前記伝送器が前記第1参照信号を送信する時刻と前記伝送器が前記起動コマンドを送信する時刻との間の相対的時間差であるか、または前記伝送器が前記第1参照信号を送信する時刻である、請求項25に記載の装置。
【請求項２７】
前記伝送器が、前記第1構成情報にしたがって前記端末装置に前記第1参照信号を送信する前に、
前記端末装置の前記利用可能な第2参照信号と現在時刻との差が第1閾値を超えると前記プロセッサが判断すると、前記プロセッサが、前記第1参照信号が前記端末装置に送信されると判断し、前記第1閾値が事前設定されている、請求項19から26のいずれか一項に記載の装置。
【請求項２８】
前記アクセスネットワーク装置は、受信器をさらに備え、前記受信器は、前記端末装置から前記チャネル測定結果を受信するように構成される、請求項19から27のいずれか一項に記載の装置。
【請求項２９】
通信装置であって、前記通信装置は、受信器とプロセッサとを備え、
前記受信器は、アクセスネットワーク装置から起動コマンドを受信するように構成され、前記起動コマンドは、二次セルの起動を示すために使用され、
前記受信器は、前記アクセスネットワーク装置から第1参照信号の第1構成情報を受信するようにさらに構成され、
前記受信器は、前記第1構成情報にしたがって前記第1参照信号を受信するようにさらに構成され、
前記プロセッサは、前記第1参照信号にしたがって前記二次セルのチャネル測定結果を取得するように構成される、通信装置。
【請求項３０】
前記第1参照信号は、時間ドメインで、前記通信装置の利用可能な第2参照信号の前に配置され、前記第2参照信号は第2構成情報を使用して構成され、または
前記第1参照信号は、時間ドメインで、前記通信装置の2つの隣接する第2参照信号の間に配置され、前記2つの隣接する第2参照信号は、同じ第2構成情報を使用して構成される、請求項29に記載の通信装置。
【請求項３１】
前記第2参照信号は周期的である、請求項30に記載の通信装置。
【請求項３２】
前記第1参照信号は、同期信号またはチャネル状態情報参照信号である、請求項29から31のいずれか一項に記載の通信装置。
【請求項３３】
前記起動コマンドが、前記第1構成情報を含み、または
前記受信器が、前記起動コマンドの前に前記第1構成情報を受信し、または
前記起動コマンドが、前記第1構成情報の第1部分を含み、かつ前記受信器が、前記起動コマンドの前に前記第1構成情報の第2部分を受信する、請求項29から32のいずれか一項に記載の通信装置。
【請求項３４】
前記第1構成情報は、以下の情報、すなわち
参照信号送信指示、
参照信号送信時刻、
参照信号周期、
参照信号時間ドメインリソースロケーション、
参照信号周波数ドメインリソースロケーション、および
参照信号構成インデックス
のうち、少なくとも1つを含み、
前記参照信号構成インデックスは、参照信号構成情報のロケーションを示すために使用される、請求項29から33のいずれか一項に記載の通信装置。
【請求項３５】
通信装置であって、前記通信装置は、プロセッサとメモリとを備え、前記メモリはコンピュータプログラムを記憶し、前記プロセッサが前記コンピュータプログラムを実行すると、請求項1から10のいずれか一項に記載の方法もしくは、請求項11から18のいずれか一項に記載の方法が実装される、通信装置。
【請求項３６】
コンピュータ記憶媒体であって、前記コンピュータ記憶媒体は、コンピュータプログラムを記憶し、前記コンピュータプログラムがプロセッサによって実行されると、請求項1から11のいずれか一項に記載の方法、もしくは、請求項11から18のいずれか一項に記載の方法が実装される、コンピュータ記憶媒体。
【手続補正８】
【補正対象書類名】図面
【補正対象項目名】図１
【補正方法】変更
【補正の内容】
【図１】
2020529800.tif 000013
【手続補正９】
【補正対象書類名】図面
【補正対象項目名】図２
【補正方法】変更
【補正の内容】
【図２】
2020529800.tif 000014
【国際調査報告】
2020529800.tif 000015
2020529800.tif 000016
2020529800.tif 000017
2020529800.tif 000018